(57)【特許請求の範囲】
【請求項１】
デバイスツーデバイス通信におけるインターネットプロトコル（ＩＰ）アドレス割振り方法であって、第１のＩＰアドレスは、第１のユーザ機器（ＵＥ）において事前構成され、第２のＩＰアドレスは、第２のＵＥにおいて事前構成され、かつ前記方法は、
前記第１のＵＥによる、前記第２のＵＥに第１のメッセージを送信するステップであって、前記第１のメッセージは、前記第１のＩＰアドレスと、命令情報とを含み、前記命令情報は、前記第１のＵＥが前記第１のＵＥにおいて事前構成されたＩＰアドレスを使用することを示すために使用され、さらに、前記命令情報は、前記第２のＵＥが前記第２のＵＥにおいて事前構成されたＩＰアドレスを使用することを示すために使用され、前記第１のメッセージは、前記第１のＩＰアドレスにより前記第１のＵＥに対してデバイスツーデバイス（Ｄ２Ｄ）通信接続を確立するよう前記第２のＵＥに要求するために使用される、ステップと、
前記第１のＵＥによる、前記第２のＵＥによって送信された第２のメッセージを受信するステップであって、前記第２のメッセージは、前記Ｄ２Ｄ通信接続の確立が成功したことを示すために使用される、ステップと
を備えるＩＰアドレス割振り方法。
【請求項２】
デバイスツーデバイス通信におけるインターネットプロトコル（ＩＰ）アドレス割振り方法であって、第１のＩＰアドレスは、第１のユーザ機器（ＵＥ）において事前構成され、第２のＩＰアドレスは、第２のＵＥにおいて事前構成され、かつ前記方法は、
前記第２のＵＥによる、前記第１のＵＥからの第１のメッセージを受信するステップであって、前記第１のメッセージは、前記第１のＩＰアドレスと、命令情報とを含み、前記命令情報は、前記第１のＵＥが前記第１のＵＥにおいて事前構成されたＩＰアドレスを使用することを示すために使用され、さらに、前記命令情報は、前記第２のＵＥが前記第２のＵＥにおいて事前構成されたＩＰアドレスを使用することを示すために使用され、前記第１のメッセージは、前記第１のＩＰアドレスにより前記第１のＵＥに対してデバイスツーデバイス（Ｄ２Ｄ）通信接続を確立するよう前記第２のＵＥに要求するために使用される、ステップと、
前記第２のＵＥによる、前記第１のＵＥに第２のメッセージを送信するステップであって、前記第２のメッセージは、前記Ｄ２Ｄ通信接続の確立が成功したことを示すために使用される、ステップとを備える
ＩＰアドレス割振り方法。
【請求項３】
第２のユーザ機器（ＵＥ）であって、第２のＩＰアドレスは、前記第２のＵＥにおいて事前構成され、第１のＩＰアドレスは、第１のＵＥにおいて事前構成され、かつ前記第２のＵＥは、
前記第１のＵＥから第１のメッセージを受信するように構成され、前記第１のメッセージは、前記第１のＩＰアドレスと、命令情報とを含み、前記命令情報は、前記第１のＵＥが前記第１のＵＥにおいて事前構成されたＩＰアドレスを使用することを示すために使用され、さらに、前記命令情報は、前記第２のＵＥが前記第２のＵＥにおいて事前構成されたＩＰアドレスを使用することを示すために使用され、前記第１のメッセージは、前記第１のＩＰアドレスにより前記第１のＵＥに対してデバイスツーデバイス（Ｄ２Ｄ）通信接続を確立するよう前記第２のＵＥに要求するために使用され、
前記第２のＵＥは、前記第１のＵＥに第２のメッセージを送信するように構成され、前記第２のメッセージは、前記Ｄ２Ｄ通信接続の確立が成功したことを示すために使用される、
第２のＵＥ。
【請求項４】
第１のユーザ機器（ＵＥ）であって、第１のＩＰアドレスは、前記第１のＵＥにおいて事前構成され、第２のＩＰアドレスは、第２のＵＥにおいて事前構成され、かつ前記第１のＵＥは、
前記第２のＵＥに第１のメッセージを送信するように構成され、前記第１のメッセージは、前記第１のＩＰアドレスと、命令情報とを含み、前記命令情報は、前記第１のＵＥが前記第１のＵＥにおいて事前構成されたＩＰアドレスを使用することを示すために使用され、さらに、前記命令情報は、前記第２のＵＥが前記第２のＵＥにおいて事前構成されたＩＰアドレスを使用することを示すために使用され、前記第１のメッセージは、前記第１のＩＰアドレスにより前記第１のＵＥに対してデバイスツーデバイス（Ｄ２Ｄ）通信接続を確立するよう前記第２のＵＥに要求するために使用され、
前記第１のＵＥは、前記第２のＵＥによって送信された第２のメッセージを受信するように構成され、前記第２のメッセージは、前記Ｄ２Ｄ通信接続の確立が成功したことを示すために使用される
第１のＵＥ。
【請求項５】
プログラムが記録されているコンピュータ可読記憶媒体であって、
前記プログラムは、コンピュータに請求項１または２に記載の方法を実行させる
コンピュータ可読記憶媒体。
【発明の詳細な説明】
【技術分野】
【０００１】
本発明の実施形態は、通信技術に関し、詳細には、Ｄ２Ｄ通信におけるＩＰアドレス割振り方法およびユーザ機器に関する。
【背景技術】
【０００２】
モバイル通信の高速度の発展とともに、ロングタームエボリューション（Ｌｏｎｇ  Ｔｅｒｍ  Ｅｖｏｌｕｔｉｏｎ、略して、ＬＴＥ）ネットワークシステムが、新たなタイプの多くのサービス、例えば、モバイル電話でインターネットをサーフィンすること、およびインスタントチャットなどのデータサービスをユーザに提供し、データサービスの広い使用が、ユーザの帯域幅要件を増加させる。デバイスツーデバイス（Ｄｅｖｉｃｅ−ｔｏ−Ｄｅｖｉｃｅ、略して、Ｄ２Ｄ）通信が、ユーザ機器（Ｕｓｅｒ  Ｅｑｕｉｐｍｅｎｔ、略して、ＵＥ）の間の直接の通信を可能にし、ユーザ機器は、セルネットワークの制御下でセルユーザとスペクトルリソースを共有してよい。このことは、スペクトルリソースの利用を効果的に向上させる。現在、Ｄ２Ｄ通信は、ＬＴＥネットワークシステムに適用されている。
【０００３】
Ｄ２Ｄ通信は、１対多通信（Ｏｎｅ  ｔｏ  ｍａｎｙ  ｃｏｍｍｕｎｉｃａｔｉｏｎ）、すなわち、グループ通信、および１対１通信（Ｏｎｅ  ｔｏ  ｏｎｅ  ｃｏｍｍｕｎｉｃａｔｉｏｎ）を含む。１対１通信において、送信パーティＵＥは、受信パーティＵＥとＤ２Ｄ通信を実行するために受信パーティＵＥのアドレスを知る必要がある。アドレスは、受信パーティＵＥのレイヤ２アドレス、すなわち、受信パーティＵＥのデバイスアドレスと、受信パーティＵＥのネットワークアドレス、すなわち、インターネットプロトコル（Ｉｎｔｅｒｎｅｔ  Ｐｒｏｔｏｃｏｌ、略して、ＩＰ）アドレスとを特に含む。特に、レイヤ２アドレスは、Ｄ２Ｄ通信を実行する２つのＵＥによってシグナリング対話を実行するのに使用され、ＩＰアドレスは、Ｄ２Ｄ通信を実行する２つのパーティによってデータ対話を実行するのに使用される。受信パーティＵＥのレイヤ２アドレスは、送信パーティＵＥによってＤ２Ｄ発見形態で、または事前構成形態で獲得されてよい。この事例において、送信パーティＵＥが、受信パーティＵＥとシグナリング対話を実行して、Ｄ２Ｄ通信の１つのパーティＵＥが、他方のパーティＵＥのＩＰアドレスを獲得するようにする。
【０００４】
従来技術において、送信パーティＵＥと受信パーティＵＥの両方が、ＩＰアドレスの割振り側の役割をしてよく、またはＩＰアドレスの受取り側の役割をしてよい。送信パーティＵＥと受信パーティＵＥの両方がＩＰアドレスの割振り側の役割をする場合、ＩＰアドレスは、繰り返し割り振られることがある。例えば、送信パーティＵＥと受信パーティＵＥの両方が、動的ホスト構成プロトコル（Ｄｙｎａｍｉｃ  Ｈｏｓｔ  Ｃｏｎｆｉｇｕｒａｔｉｏｎ
Ｐｒｏｔｏｃｏｌ、略して、ＤＨＣＰ）サーバの役割をして、ＩＰｖ４タイプのＩＰアドレスを割り振ってよく、または送信パーティＵＥと受信パーティＵＥの両方が、ＩＰルータ（ＩＰ  ｒｏｕｔｅｒ）の役割をして、ＩＰｖ６タイプのＩＰアドレスを割り振ってよい。送信パーティＵＥと受信パーティＵＥの両方が、ＩＰアドレスの受取り側の役割をする場合、ＩＰアドレスは、割り振られないことがある。前述の２つの問題は、Ｄ２Ｄ通信接続を確立する際に障害をもたらすことがある。
【発明の概要】
【０００５】
本発明の実施形態が、従来技術のＤ２Ｄ通信のＩＰアドレス割振りプロセスにおいて送信パーティＵＥと受信パーティＵＥの両方がＩＰアドレスの割振り側の役割をすることがあるため、または受取り側の役割をすることがあるため、もたらされる、ＩＰアドレスが繰り返し割り振られる、またはＩＰアドレスが割り振られない事例を回避し、かつＤ２Ｄ通信接続を確立する成功率を向上させる、Ｄ２Ｄ通信におけるＩＰアドレス割振り方法およびユーザ機器を提供する。
【０００６】
第１の態様によれば、本発明の実施形態が、
第１のユーザ機器ＵＥによる、第２のＵＥに第１のメッセージを送信することであって、第１のメッセージは、第１のＵＥによって第２のＵＥに割り振られた第１のＩＰアドレスを含むこと、および
第１のＵＥによる、第２のＵＥによって送信された第２のメッセージを受信することであって、第２のメッセージは、第１のＩＰアドレスの割振りが成功したか、または失敗したかを示すのに使用されることを含むＤ２Ｄ通信におけるＩＰアドレス割振り方法を提供する。
【０００７】
第１の態様の第１の可能な実装形態において、第１のメッセージは、第１のパケットデータネットワークＰＤＮタイプを含み、かつ第１のＰＤＮタイプは、第１のＵＥによってサポートされるＩＰアドレスのタイプを示すのに使用される。
【０００８】
第１の態様、または第１の態様の第１の可能な実装形態によれば、第２の可能な実施形態において、第２のメッセージが、ＩＰアドレスの割振りが失敗したことを示すのに使用される場合、第２のメッセージは、第２のＰＤＮタイプまたは原因値のうちの少なくとも１つを含み、第２のＰＤＮタイプは、第２のＵＥによってサポートされるＩＰアドレスのタイプを示すのに使用され、かつ原因値は、第２のＵＥが第１のＩＰアドレスのタイプをサポートしないことを示すのに使用される。
【０００９】
第１の態様の第２の可能な実装形態によれば、第３の可能な実装形態において、第２のメッセージが第２のＰＤＮタイプを含む場合、方法は、
第１のＵＥが、第２のメッセージにより、第１のＵＥが第２のＰＤＮタイプをサポートすると決定した場合、第１のＵＥによる、第２のＵＥに第２のＩＰアドレスを割り振り、かつ第２のＵＥに第２のＩＰアドレスを送信することであって、第２のＩＰアドレスは、第２のＵＥによって、第２のＵＥと第１のＵＥの間でデバイスツーデバイスＤ２Ｄ通信接続を確立するのに使用されること、または
第１のＵＥが、第２のメッセージにより、第１のＵＥが第２のＰＤＮタイプをサポートしないと決定した場合、第１のＵＥによる、第２のＵＥにフィードバックメッセージを送信することであって、フィードバックメッセージは、Ｄ２Ｄ通信接続の確立が失敗したことを示すのに使用されることをさらに含む。
【００１０】
第１の態様の第２の可能な実装形態によれば、第４の可能な実装形態において、第２のメッセージが原因値を含むが、第２のＰＤＮタイプを含まない場合、方法は、
第１のＵＥが、第１のＩＰアドレスのタイプを除いた別のタイプのＩＰアドレスをサポートする場合、第１のＵＥによる、第２のＵＥに第２のＩＰアドレスを割り振り、かつ第２のＵＥに第２のＩＰアドレスを送信することであって、第２のＩＰアドレスは、第２のＵＥによって、第２のＵＥと第１のＵＥの間でＤ２Ｄ通信接続を確立するのに使用されること、または
第１のＵＥが、第１のＩＰアドレスのタイプを除いた別のタイプのＩＰアドレスをサポートしない場合、第１のＵＥによる、第２のＵＥにフィードバックメッセージを送信することであって、フィードバックメッセージは、Ｄ２Ｄ通信接続の確立が失敗したことを示すのに使用されることをさらに含む。
【００１１】
第１の態様の第２の可能な実装形態によれば、第５の可能な実装形態において、第１のメッセージが第１のＰＤＮタイプを含み、第２のメッセージが、原因値を含み、かつ原因値は、第２のＵＥが第１のＰＤＮタイプをサポートすることを示すのにさらに使用される場合、方法は、
第１のＵＥによる、第２のＵＥに第１のＰＤＮタイプの第２のＩＰアドレスを割り振り、かつ第２のＵＥに第２のＩＰアドレスを送信することであって、第２のＩＰアドレスは、第２のＵＥによって、第２のＵＥと第１のＵＥの間でデバイスツーデバイスＤ２Ｄ通信接続を確立するのに使用されることをさらに含む。
【００１２】
第１の態様の第２の可能な実装形態によれば、第６の可能な実装形態において、第１のメッセージが、第１のＰＤＮタイプを含み、第２のメッセージが、原因値を含むが、第２のＰＤＮタイプは含まず、かつ原因値は、第２のＵＥが第１のＰＤＮタイプをサポートしないことを示すのにさらに使用される場合、方法は、
第１のＵＥが、第１のＩＰアドレスのタイプおよび第１のＰＤＮタイプを除いた別のタイプのＩＰアドレスをサポートする場合、第１のＵＥによる、第２のＵＥに第２のＩＰアドレスを割り振り、かつ第２のＵＥに第２のＩＰアドレスを送信することであって、第２のＩＰアドレスは、第２のＵＥによって、第２のＵＥと第１のＵＥの間でＤ２Ｄ通信接続を確立するのに使用されること、または
第１のＵＥが、第１のＩＰアドレスのタイプおよび第１のＰＤＮタイプを除いた別のタイプのＩＰアドレスをサポートしない場合、第１のＵＥによる、第２のＵＥにフィードバックメッセージを送信することであって、フィードバックメッセージは、Ｄ２Ｄ通信接続の確立が失敗したことを示すのに使用されることをさらに含む。
【００１３】
第１の態様、または第１の態様の第１乃至第６の実装形態のうちのいずれか１つによれば、第７の可能な実装形態において、第１のメッセージは、識別情報をさらに含み、かつ識別情報は、識別情報により、第１のＵＥがＤ２Ｄ通信におけるＩＰアドレスの割振り側であると決定するよう第２のＵＥに命令するのに使用される、または識別情報は、第２のＵＥがＤ２Ｄ通信におけるＩＰアドレスの受取り側であることを示すのに使用される。
【００１４】
第１の態様、または第１の態様の第１乃至第７の実装形態のうちのいずれか１つによれば、第８の可能な実装形態において、第１のＵＥによる、第２のＵＥに第１のメッセージを送信することの前に、方法は、
第１のＵＥによる、第２のＵＥの第２のＰＤＮタイプを獲得すること、および
第１のＵＥによる、第２のＵＥの第２のＰＤＮタイプにより第２のＵＥに第１のＩＰアドレスを割り振ることをさらに含む。
【００１５】
第１の態様、または第１の態様の第１乃至第８の実装形態のうちのいずれか１つによれば、第９の可能な実装形態において、第１のＵＥによる、第２のＵＥに第１のメッセージを送信することの前に、方法は、
第１のＵＥによる、第２のＵＥによって送信された第３のメッセージを受信すること、および
第１のＵＥによる、第３のメッセージにより第２のＵＥに第１のＩＰアドレスを割り振ることをさらに含む。
【００１６】
第２の態様によれば、本発明の実施形態が、
第２のユーザ機器ＵＥによる、第１のＵＥによって送信された第１のメッセージを受信することであって、第１のメッセージは、第１のＵＥによって第２のＵＥに割り振られた第１のＩＰアドレスを含むこと、および
第２のＵＥによる、第１のＵＥに第２のメッセージを送信することであって、第２のメッセージは、第１のＩＰアドレスの割振りが成功したか、または失敗したかを示すのに使用されることを含むＤ２Ｄ通信におけるＩＰアドレス割振り方法を提供する。
【００１７】
第２の態様の第１の可能な実装形態において、第２のＵＥによる、第１のＵＥに第２のメッセージを送信することは、
第２のＵＥが、第１のメッセージにより、第２のＵＥが第１のＩＰアドレスのタイプをサポートしないと決定した場合、第２のＵＥによる、第１のＵＥに第２のメッセージを送信することであって、第２のメッセージは、第１のＩＰアドレスの割振りが失敗したことを示すのに使用され、第２のメッセージは、第２のパケットデータネットワークＰＤＮタイプまたは原因値のうちの少なくとも１つを含み、原因値は、第２のＵＥが第１のＩＰアドレスのタイプをサポートしないことを示すのに使用され、かつ第２のＰＤＮタイプは、第２のＵＥによってサポートされるＩＰアドレスのタイプを示すのに使用されること、または
第１のメッセージが第１のＰＤＮタイプをさらに含み、かつ第２のＵＥが、第１のメッセージにより、第２のＵＥが第１のＩＰアドレスのタイプをサポートしないが、第２のＵＥが第１のＰＤＮタイプをサポートすると決定した場合、第２のＵＥによる、第１のＵＥに第２のメッセージを送信することであって、第２のメッセージは、第１のＩＰアドレスの割振りが失敗したことを示すのに使用され、第２のメッセージは、第２のＰＤＮタイプまたは原因値のうちの少なくとも１つを含み、かつ原因値は、第２のＵＥが第１のＩＰアドレスのタイプをサポートしないが、第２のＵＥが第１のＰＤＮタイプをサポートすることを示すのに使用されること、または
第１のメッセージが第１のＰＤＮタイプをさらに含み、かつ第２のＵＥが、第１のメッセージにより、第２のＵＥが第１のＩＰアドレスのタイプをサポートせず、かつ第２のＵＥが第１のＰＤＮタイプをサポートしないと決定した場合、第２のＵＥによる、第１のＵＥに第２のメッセージを送信することであって、第２のメッセージは、第１のＩＰアドレスの割振りが失敗したことを示すのに使用され、第１のＰＤＮタイプは、第１のＵＥによってサポートされるＩＰアドレスのタイプを示すのに使用され、第２のメッセージは、第２のＰＤＮタイプまたは原因値のうちの少なくとも１つを含み、原因値は、第２のＵＥが第１のＩＰアドレスのタイプをサポートせず、かつ第２のＵＥが第１のＰＤＮタイプをサポートしないことを示すのに使用され、かつ第２のＰＤＮタイプは、第２のＵＥによってサポートされるＩＰアドレスのタイプを示すのに使用されること、または
第２のＵＥが、第１のＩＰアドレスのタイプをサポートする場合、第２のＵＥによる、第１のＵＥに第２のメッセージを送信することであって、第２のメッセージは、第１のＩＰアドレスの割振りが成功したことを示すのに使用されることを含む。
【００１８】
第２の態様、または第２の態様の第１の可能な実装形態によれば、第２の可能な実装形態において、第２のメッセージが、第１のＩＰアドレスの割振りが失敗したことを示すのに使用される場合、方法は、
第２のＵＥによる、第１のＵＥによって送信された第２のＩＰアドレスを受信することであって、第２のＩＰアドレスは、第２のＵＥによって、第２のＵＥと第１のＵＥの間でデバイスツーデバイスＤ２Ｄ通信接続を確立するのに使用されること、または
第２のＵＥによる、第１のＵＥによって送信されたフィードバックメッセージを受信することであって、フィードバックメッセージは、Ｄ２Ｄ通信接続の確立が失敗したことを示すのに使用されることをさらに含む。
【００１９】
第２の態様、または第２の態様の第１乃至第２の実装形態のうちのいずれか１つによれば、第３の可能な実装形態において、第１のメッセージは、識別情報をさらに含み、かつ方法は、
第２のＵＥによる、識別情報により、第１のＵＥがＤ２Ｄ通信におけるＩＰアドレスの割振り側である、または第２のＵＥがＤ２Ｄ通信におけるＩＰアドレスの受取り側であると決定することをさらに含む。
【００２０】
第２の態様、または第２の態様の第１乃至第３の実装形態のうちのいずれか１つによれば、第４の可能な実装形態において、第２のＵＥによる、第１のＵＥによって送信された第１のメッセージを受信することの前に、方法は、
第２のＵＥによる、第１のＵＥに第３のメッセージを送信することであって、第３のメッセージは、第２のＵＥに第１のＩＰアドレスを割り振るよう第１のＵＥに要求するのに使用されることをさらに含む。
【００２１】
第３の態様によれば、本発明の実施形態が、Ｄ２Ｄ通信におけるＩＰアドレス割振り方法を提供し、第１のＩＰアドレスは、第１のユーザ機器ＵＥにおいて事前構成され、第２のＩＰアドレスは、第２のＵＥにおいて事前構成され、かつ方法は、
第１のＵＥによる、第２のＵＥに第１のメッセージを送信することであって、第１のメッセージは、第１のＩＰアドレスと、命令情報とを含み、命令情報は、第１のＩＰアドレスを使用するよう第２のＵＥに命令するのに使用され、かつ第１のメッセージは、第１のＩＰアドレスにより第１のＵＥに対してデバイスツーデバイスＤ２Ｄ通信接続を確立するよう第２のＵＥに要求するのに使用されること、および
第１のＵＥによる、第２のＵＥによって送信された第２のメッセージを受信することであって、第２のメッセージは、Ｄ２Ｄ通信接続の確立が成功したことを示すのに使用されることを含む。
【００２２】
第４の態様によれば、本発明の実施形態が、Ｄ２Ｄ通信におけるＩＰアドレス割振り方法を提供し、第１のＩＰアドレスは、第１のユーザ機器ＵＥにおいて事前構成され、第２のＩＰアドレスは、第２のＵＥにおいて事前構成され、かつ方法は、
第１のＵＥによる、第２のＵＥに第１のメッセージを送信することであって、第１のメッセージは、命令情報を含み、命令情報は、第１のＩＰアドレスを使用するよう第２のＵＥに命令するのに使用され、かつ命令情報は、第１のＵＥがデバイスツーデバイスＤ２Ｄ通信接続の確立側であることを示すのにさらに使用されること、および
第１のＵＥによる、第２のＵＥによって送信された第２のメッセージを受信することであって、第２のメッセージは、第２のＩＰアドレスを含み、第１のＵＥが、第２のＩＰアドレスにより第２のＵＥに対してデバイスツーデバイスＤ２Ｄ通信接続を確立するようにすることを含む。
【００２３】
第４の態様の第１の可能な実装形態において、第１のメッセージは、パケットデータネットワークＰＤＮタイプをさらに含み、かつＰＤＮタイプは、第１のＵＥによってサポートされるＩＰアドレスのタイプを示し、かつ第２のメッセージにおける第２のＩＰアドレスは、第２のＵＥによって、命令情報およびＰＤＮタイプに従って追加される。
【００２４】
第５の態様によれば、本発明の実施形態が、
ピアＵＥに第１のメッセージを送信するように構成された送信機であって、第１のメッセージは、ＵＥによってピアＵＥに割り振られた第１のＩＰアドレスを含む、送信機と、
ピアＵＥによって送信された第２のメッセージを受信するように構成された受信機であって、第２のメッセージは、第１のＩＰアドレスの割振りが成功したか、または失敗したかを示すのに使用される、受信機とを含むＵＥを提供する。
【００２５】
第５の態様の第１の可能な実装形態において、第１のメッセージは、第１のパケットデータネットワークＰＤＮタイプを含み、かつ第１のＰＤＮタイプは、ＵＥによってサポートされるＩＰアドレスのタイプを示すのに使用される。
【００２６】
第５の態様、または第５の態様の第１の可能な実装形態によれば、第２の可能な実装形態において、第２のメッセージが、第１のＩＰアドレスの割振りが失敗したことを示すのに使用される場合、第２のメッセージは、第２のＰＤＮタイプまたは原因値のうちの少なくとも１つを含み、第２のＰＤＮタイプは、ピアＵＥによってサポートされるＩＰアドレスのタイプを示すのに使用され、かつ原因値は、ピアＵＥが第１のＩＰアドレスのタイプをサポートしないことを示すのに使用される。
【００２７】
第５の態様の第２の可能な実装形態によれば、第３の可能な実装形態において、第２のメッセージが、第２のＰＤＮタイプを含む場合、ＵＥは、第２のメッセージにより、ＵＥが第２のＰＤＮタイプをサポートすると決定した場合、ピアＵＥに第２のＩＰアドレスを割り振るように構成されたプロセッサをさらに含み、
送信機は、ピアＵＥに、プロセッサによって割り振られた第２のＩＰアドレスを送信するようにさらに構成され、第２のＩＰアドレスは、ピアＵＥによって、ピアＵＥとＵＥの間でデバイスツーデバイスＤ２Ｄ通信接続を確立するのに使用される、または
プロセッサは、第２のメッセージにより、ＵＥが第２のＰＤＮタイプをサポートしないと決定するようにさらに構成され、かつ
送信機は、ピアＵＥにフィードバックメッセージを送信するようにさらに構成され、フィードバックメッセージは、Ｄ２Ｄ通信接続の確立が失敗したことを示すのに使用される。
【００２８】
第５の態様の第２の可能な実装形態によれば、第４の可能な実装形態において、第２のメッセージが、原因値を含むが、第２のＰＤＮタイプを含まない場合、ＵＥは、ＵＥが、第１のＩＰアドレスのタイプを除いた別のタイプのＩＰアドレスをサポートする場合、ピアＵＥに第２のＩＰアドレスを割り振るように構成されたプロセッサをさらに含み、
送信機は、ピアＵＥに、プロセッサによって割り振られた第２のＩＰアドレスを送信するようにさらに構成され、第２のＩＰアドレスは、ピアＵＥによって、ピアＵＥとＵＥの間でＤ２Ｄ通信接続を確立するのに使用される、または
プロセッサは、ＵＥが、第１のＩＰアドレスのタイプを除いた別のタイプのＩＰアドレスをサポートしないと決定するようにさらに構成され、かつ
送信機は、ピアＵＥにフィードバックメッセージを送信するようにさらに構成され、フィードバックメッセージは、Ｄ２Ｄ通信接続の確立が失敗したことを示すのに使用される。
【００２９】
第５の態様の第２の可能な実装形態によれば、第５の可能な実装形態において、第１のメッセージが第１のＰＤＮタイプを含む場合、第２のメッセージは、原因値を含み、かつ原因値は、ピアＵＥが第１のＰＤＮタイプをサポートすることを示すのにさらに使用され、ＵＥは、ピアＵＥに第１のＰＤＮタイプの第２のＩＰアドレスを割り振るように構成されたプロセッサをさらに含み、
送信機は、ピアＵＥに第２のＩＰアドレスを送信するようにさらに構成され、第２のＩＰアドレスは、ピアＵＥによって、ピアＵＥとＵＥの間でデバイスツーデバイスＤ２Ｄ通信接続を確立するのに使用される。
【００３０】
第５の態様の第２の可能な実装形態によれば、第６の可能な実装形態において、第１のメッセージが、第１のＰＤＮタイプを含む場合、第２のメッセージは、原因値を含むが、第２のＰＤＮタイプを含まず、かつ原因値は、ピアＵＥが第１のＰＤＮタイプをサポートしないことを示すのにさらに使用され、ＵＥは、ＵＥが、第１のＩＰアドレスのタイプおよび第１のＰＤＮタイプを除いた別のタイプのＩＰアドレスをサポートする場合、ピアＵＥに第２のＩＰアドレスを割り振るように構成されたプロセッサをさらに含み、かつ
送信機は、ピアＵＥに第２のＩＰアドレスを送信するようにさらに構成され、第２のＩＰアドレスは、ピアＵＥによって、ピアＵＥとＵＥの間でＤ２Ｄ通信接続を確立するのに使用される、または
プロセッサは、ＵＥが、第１のＩＰアドレスのタイプおよび第１のＰＤＮタイプを除いた別のタイプのＩＰアドレスをサポートしないと決定するようにさらに構成され、
送信機は、ピアＵＥにフィードバックメッセージを送信するようにさらに構成され、フィードバックメッセージは、Ｄ２Ｄ通信接続の確立が失敗したことを示すのに使用される。
【００３１】
第５の態様、または第５の態様の第１乃至第６の実装形態のいずれか１つによれば、第７の可能な実装形態において、第１のメッセージは、識別情報をさらに含み、かつ識別情報は、識別情報により、ＵＥがＤ２Ｄ通信におけるＩＰアドレスの割振り側であると決定するようピアＵＥに命令するのに使用される、または識別情報は、ピアＵＥがＤ２Ｄ通信におけるＩＰアドレスの受取り側であることを示すのに使用される。
【００３２】
第５の態様、または第５の態様の第１乃至第７の実装形態のいずれか１つによれば、第８の可能な実装形態において、受信機は、送信機がピアＵＥに第１のメッセージを送信する前に、ピアＵＥの第２のＰＤＮタイプを獲得するようにさらに構成され、かつＵＥは、
ピアＵＥの第２のＰＤＮタイプによりピアＵＥに第１のＩＰアドレスを割り振るように構成されたプロセッサを含む。
【００３３】
第５の態様、または第５の態様の第１乃至第８の実装形態のいずれか１つによれば、第９の可能な実装形態において、受信機は、送信機がピアＵＥに第１のメッセージを送信する前に、ピアＵＥによって送信された第３のメッセージを受信するようにさらに構成され、かつＵＥは、
第３のメッセージによりピアＵＥに第１のＩＰアドレスを割り振るように構成されたプロセッサをさらに含む。
【００３４】
第６の態様によれば、本発明の実施形態が、
ピアＵＥによって送信された第１のメッセージを受信するように構成された受信機であって、第１のメッセージは、ピアＵＥによってＵＥに割り振られた第１のＩＰアドレスを含む、受信機と、
ピアＵＥに第２のメッセージを送信するように構成された送信機であって、第２のメッセージは、第１のＩＰアドレスの割振りが成功したか、または失敗したかを示すのに使用される、送信機とを含むＵＥを提供する。
【００３５】
第６の態様の第１の可能な実装形態において、ＵＥは、プロセッサをさらに含み、かつ送信機が、ピアＵＥに第２のメッセージを送信するように構成されることは、
送信機が、プロセッサが、第１のメッセージにより、ＵＥが第１のＩＰアドレスのタイプをサポートしないと決定した場合、ピアＵＥに第２のメッセージを送信するように特に構成されることであって、第２のメッセージは、第１のＩＰアドレスの割振りが失敗したことを示すのに使用され、第２のメッセージは、第２のパケットデータネットワークＰＤＮタイプまたは原因値のうちの少なくとも１つを含み、原因値は、ＵＥが第１のＩＰアドレスのタイプをサポートしないことを示すのに使用され、かつ第２のＰＤＮタイプは、ＵＥによってサポートされるＩＰアドレスのタイプを示すのに使用されること、または
送信機が、第１のメッセージが第１のＰＤＮタイプをさらに含み、かつプロセッサが、第１のメッセージにより、ＵＥが第１のＩＰアドレスのタイプをサポートしないが、ＵＥが第１のＰＤＮタイプをサポートすると決定した場合、ピアＵＥに第２のメッセージを送信するように特に構成されることであって、第２のメッセージは、第１のＩＰアドレスの割振りが失敗したことを示すのに使用され、第２のメッセージは、第２のＰＤＮタイプまたは原因値のうちの少なくとも１つを含み、かつ原因値は、ＵＥが第１のＩＰアドレスのタイプをサポートしないが、ＵＥが第１のＰＤＮタイプをサポートすることを示すのに使用されること、または
送信機が、第１のメッセージが第１のＰＤＮタイプをさらに含み、かつプロセッサが、第１のメッセージにより、ＵＥが第１のＩＰアドレスのタイプも第１のＰＤＮタイプもサポートしないと決定した場合、ピアＵＥに第２のメッセージを送信するように特に構成されることであって、第２のメッセージは、第１のＩＰアドレスの割振りが失敗したことを示すのに使用され、第１のＰＤＮタイプは、ピアＵＥによってサポートされるＩＰアドレスのタイプを示すのに使用され、第２のメッセージは、第２のＰＤＮタイプまたは原因値のうちの少なくとも１つを含み、原因値は、ＵＥが第１のＩＰアドレスのタイプも第１のＰＤＮタイプもサポートしないことを示すのに使用され、かつ第２のＰＤＮタイプは、ＵＥによってサポートされるＩＰアドレスのタイプを示すのに使用されること、または
送信機が、プロセッサが、ＵＥが、第１のＩＰアドレスのタイプをサポートすると決定した場合、ピアＵＥに第２のメッセージを送信するように特に構成されることであって、第２のメッセージは、第１のＩＰアドレスの割振りが成功したことを示すのに使用されることを含む。
【００３６】
第６の態様、または第６の態様の第１の可能な実装形態によれば、第２の可能な実装形態において、第２のメッセージが、第１のＩＰアドレスの割振りが失敗したことを示すのに使用される場合、受信機は、ピアＵＥによって送信された第２のＩＰアドレスを受信するようにさらに構成され、第２のＩＰアドレスは、ＵＥによって、ＵＥとピアＵＥの間でデバイスツーデバイスＤ２Ｄ通信接続を確立するのに使用される、または
受信機は、ピアＵＥによって送信されたフィードバックメッセージを受信するようにさらに構成され、フィードバックメッセージは、Ｄ２Ｄ通信接続の確立が失敗したことを示すのに使用される。
【００３７】
第６の態様、または第６の態様の第１乃至第２の実装形態のいずれか１つによれば、第３の可能な実装形態において、第１のメッセージは、識別情報をさらに含み、かつＵＥは、識別情報により、ピアＵＥがＤ２Ｄ通信におけるＩＰアドレスの割振り側である、またはＵＥがＤ２Ｄ通信におけるＩＰアドレスの受取り側であると決定するように構成されたプロセッサをさらに含む。
【００３８】
第６の態様、または第６の態様の第１乃至第３の実装形態のいずれか１つによれば、第４の可能な実装形態において、送信機は、受信機が、ピアＵＥによって送信された第１のメッセージを受信する前に、ピアＵＥに第３のメッセージを送信するようにさらに構成され、第３のメッセージは、ＵＥに第１のＩＰアドレスを割り振るようピアＵＥに要求するのに使用される。
【００３９】
第７の態様によれば、本発明の実施形態が、ＵＥを提供し、第１のＩＰアドレスは、ＵＥにおいて事前構成され、第２のＩＰアドレスは、ピアＵＥにおいて事前構成され、かつＵＥは、
ピアＵＥに第１のメッセージを送信するように構成された送信機であって、第１のメッセージは、第１のＩＰアドレスと、命令情報とを含み、命令情報は、第１のＩＰアドレスを使用するようピアＵＥに命令するのに使用され、かつ第１のメッセージは、第１のＩＰアドレスによりＵＥに対してデバイスツーデバイスＤ２Ｄ通信接続を確立するようピアＵＥに要求するのに使用される、送信機と、
ピアＵＥによって送信された第２のメッセージを受信するように構成された受信機であって、第２のメッセージは、Ｄ２Ｄ通信接続の確立が成功したことを示すのに使用される、受信機とを含む。
【００４０】
第８の態様によれば、本発明の実施形態が、ＵＥを提供し、第１のＩＰアドレスは、ＵＥにおいて事前構成され、第２のＩＰアドレスは、ピアＵＥにおいて事前構成され、かつＵＥは、
ピアＵＥに第１のメッセージを送信するように構成された送信機であって、第１のメッセージは、命令情報を含み、命令情報は、第１のＩＰアドレスを使用するようピアＵＥに命令するのに使用され、かつ命令情報は、ＵＥがデバイスツーデバイスＤ２Ｄ通信接続の確立側であることを示すのにさらに使用される、送信機と、
ピアＵＥによって送信された第２のメッセージを受信するように構成された受信機であって、第２のメッセージは、第２のＩＰアドレスを含み、ＵＥが、第２のＩＰアドレスによりピアＵＥに対してデバイスツーデバイスＤ２Ｄ通信接続を確立するようにする、受信機とを含む。
【００４１】
第８の態様の第１の可能な実装形態において、第１のメッセージは、パケットデータネットワークＰＤＮタイプをさらに含み、かつＰＤＮタイプは、ＵＥによってサポートされるＩＰアドレスのタイプを示し、かつ第２のメッセージにおける第２のＩＰアドレスは、ピアＵＥによって、命令情報およびＰＤＮタイプに従って追加される。
【００４２】
本発明の実施形態において提供されるＤ２Ｄ通信におけるＩＰアドレス割振り方法およびユーザ機器によれば、第１のＵＥが、第２のＵＥに、割り振られた第１のＩＰアドレスを含む第１のメッセージを送信し、第１のメッセージは、ＩＰアドレス割振りプロセスにおける第１のＵＥおよび第２のＵＥの責任、すなわち、第１のＵＥがＩＰアドレスの割振り側であり、かつ第２のＵＥがＩＰアドレスの受取り側であることを明示的に示して、第２のＵＥが、受信された第１のＩＰアドレスにより第２のメッセージを戻すようにし、第２のメッセージは、第１のＩＰアドレスの割振りが成功したか、または失敗したかを特に示し、すなわち、第２のＵＥが、第１のＵＥによって第２のＵＥに割り振られた第１のＩＰアドレスのタイプをサポートしない場合、第２のＵＥは、ＩＰアドレスを割り振る動作を実行しない。実施形態において提供される方法によれば、従来技術のＤ２Ｄ通信のＩＰアドレス割振りプロセスにおいて送信パーティＵＥとピアＵＥの両方がＩＰアドレスの割振り側の役割をすることがあるため、または受取り側の役割をすることがあるため、もたらされる、ＩＰアドレスが繰り返し割り振られる、またはＩＰアドレスが割り振られない事例が解決され、かつＤ２Ｄ通信接続を確立する成功率が対応するように向上させられる。
【図面の簡単な説明】
【００４３】
本発明の実施形態における、または従来技術における技術的ソリューションをより明確に説明するのに、以下が、実施形態または従来技術を説明するために要求される添付の図面を説明する。明らかに、以下の説明における添付の図面は、本発明のいくつかの実施形態を示し、当業者は、独創的な取組みなしに、これらの添付の図面から他の図面をさらに導き出すことがある。
【図１】本発明の実施形態１によるＤ２Ｄ通信におけるＩＰアドレス割振り方法を示す流れ図である。
【図２】本発明の実施形態によるＤ２Ｄ通信における別のＩＰアドレス割振り方法を示す流れ図である。
【図３】本発明の実施形態によるＤ２Ｄ通信におけるさらに別のＩＰアドレス割振り方法を示す流れ図である。
【図４】本発明の実施形態によるＤ２Ｄ通信におけるさらに別のＩＰアドレス割振り方法を示す流れ図である。
【図５】本発明の実施形態によるＤ２Ｄ通信におけるさらに別のＩＰアドレス割振り方法を示す流れ図である。
【図６】本発明の実施形態２によるＤ２Ｄ通信におけるＩＰアドレス割振り方法を示す流れ図である。
【図７】本発明の実施形態によるＤ２Ｄ通信における別のＩＰアドレス割振り方法を示す流れ図である。
【図８】本発明の実施形態によるＤ２Ｄ通信におけるさらに別のＩＰアドレス割振り方法を示す流れ図である。
【図９】本発明の実施形態３によるＤ２Ｄ通信におけるＩＰアドレス割振り方法を示す流れ図である。
【図１０】本発明の実施形態４によるＤ２Ｄ通信におけるＩＰアドレス割振り方法を示す流れ図である。
【図１１】本発明の実施形態によるＤ２Ｄ通信におけるＵＥの間の制御プレーンプロトコルスタックを示す概略図である。
【図１２Ａ】本発明の実施形態５によるＤ２Ｄ通信におけるＩＰアドレス割振り方法を示す流れ図である。
【図１２Ｂ】本発明の実施形態５によるＤ２Ｄ通信におけるＩＰアドレス割振り方法を示す流れ図である。
【図１３】本発明の実施形態６によるＤ２Ｄ通信におけるＩＰアドレス割振り方法を示す流れ図である。
【図１４】本発明の実施形態７によるＵＥを示す概略構造図である。
【図１５】本発明の実施形態による別のＵＥを示す概略構造図である。
【図１６】本発明の実施形態８によるＵＥを示す概略構造図である。
【図１７】本発明の実施形態による別のＵＥを示す概略構造図である。
【図１８】本発明の実施形態９によるＵＥを示す概略構造図である。
【発明を実施するための形態】
【００４４】
本発明の実施形態の目的、技術的ソリューション、および利点をより明確にするのに、以下が、本発明の実施形態における添付の図面を参照して本発明の実施形態における技術的ソリューションを明確に、かつ完全に説明する。明らかに、説明される実施形態は、本発明の実施形態のうちのいくつかであるが、すべてではない。独創的な取組みなしに、本発明の実施形態に基づいて当業者によって獲得される他のすべての実施形態は、本発明の保護範囲に入るものとする。
【００４５】
高密度のユーザおよび高いスループットのためのＬＴＥネットワークシステムの要件を満たすのに、Ｄ２Ｄ通信が、ＵＥの間で一般に実行され、すなわち、通信は、セルリソースを再使用することによってＵＥの間で直接に実行されることができる。本発明の以下の実施形態において説明されるＵＥは、Ｄ２Ｄ通信を実行することができるＵＥであり、かつＵＥは、セルネットワークの制御下でセルユーザとリソースを共有してよい。これは、スペクトルリソースの利用を向上させる。さらに、Ｄ２Ｄ通信は、例えば、セルラネットワークの負担を軽減する、モバイル端末のバッテリ消費を低減する、ビットレートを増加させる、かつネットワークインフラストラクチャ故障の堅牢性を向上させる利点をさらに有し、かつ小さい範囲においてポイントツーポイントデータサービスをさらにサポートすることがある。
【００４６】
現在、一般に使用されるＤ２Ｄ通信は、Ｂｌｕｅｔｏｏｔｈ（Ｂｌｕｅｔｏｏｔｈ）、ワイヤレスフィデリティ（Ｗｉｒｅｌｅｓｓ−Ｆｉｄｅｌｉｔｙ、略して、Ｗｉ−Ｆｉ）直接接続、すなわち、Ｗｉ−Ｆｉ  Ｄｉｒｅｃｔ、および類似したものを含む。本発明の以下の実施形態において説明されるＤ２Ｄ通信は、ＬＴＥネットワークシステムに基づくＤ２Ｄ通信であり、かつ、一般に、ＬＴＥネットワークにおけるＤ２Ｄ通信（ＬＴＥ−Ｄ２Ｄ）および近接性ベースのサービス（Ｐｒｏｘｉｍｉｔｙ−Ｂａｓｅｄ  Ｓｅｒｖｉｃｅ、略して、ＰｒｏＳｅ）を含む。ＬＴＥ−Ｄ２ＤとＰｒｏＳｅの両方が、互いに直接に通信するＵＥに適用されることができ、かつＵＥは、ネットワークインフラストラクチャがまったく存在しない場合に互いに通信することができる。
【００４７】
アプリケーションシナリオの見地から、Ｄ２Ｄ通信は、グループ通信および１対１通信を含み、かつ本発明の以下の実施形態において提供されるＤ２Ｄ通信におけるＩＰアドレス割振り方法が、１対１通信に適用可能である。特に、ＵＥ１がＵＥ２とＤ２Ｄ通信を実行することを予期する場合、ＵＥ１は、ＵＥ２に通信確立要求メッセージを送信し、要求メッセージは、ＵＥ２のレイヤ２アドレス、すなわち、Ｌａｙｅｒ−２アドレスを搬送する。Ｌａｙｅｒ−２アドレスは、プロトコルスタックの媒体アクセス制御（Ｍｅｄｉｕｍ  Ａｃｃｅｓｓ  Ｃｏｎｔｒｏｌ、略して、ＭＡＣ）層にＭＡＣ層のパケットヘッダとして入れられる。Ｌａｙｅｒ−２アドレスは、ＵＥ１によってＤ２Ｄ発見を用いて獲得されてよく、またはＵＥ１において事前構成されてよく、もしくは類似したことが行われてよい。要求メッセージを受信した後、ＵＥ２は、ＵＥ１の識別情報を検証してよい。しかし、Ｄ２Ｄ通信を確立するＵＥは、データ伝送を実施するのにピアＵＥのＩＰアドレスを獲得する必要がさらにある。従来技術において提供される前述のＩＰアドレス割振り形態において、ＵＥ１とＵＥ２の両方が、ＩＰアドレスの割振り側の役割をすることがあり、またはＩＰアドレスの受取り側の役割をすることがある。したがって、ＩＰアドレスが、繰り返し割り振られることがあり、またはＩＰアドレスが、割り振られないことがあり、Ｄ２Ｄ通信接続を確立することの失敗をもたらす。
【００４８】
特定の実施形態が、以下において本発明の技術的ソリューションについて詳細に述べるのに使用される。本発明の実施形態において、ＩＰアドレスを割り振る割振り側とＩＰアドレスを受信する受取り側は、Ｅ−ＵＴＲＡＮノードＢ（Ｅ−ＵＴＲＡＮ  ＮｏｄｅＢ、略して、ｅＮＢ）などのネットワークデバイスを含むことなしに、２つだけのＵＥを含んでよく、すなわち、本発明の実施形態に含まれるネットワーク要素は、ＵＥだけである。以下のいくつかの特定の実施形態は、互いに組み合わされてよく、かつ同一の、もしくは類似した概念もしくはプロセスは、いくつかの実施形態において繰り返し説明されないことがある。
【００４９】
実施形態１
図１は、本発明の実施形態１によるＤ２Ｄ通信におけるＩＰアドレス割振り方法の流れ図である。この実施形態において提供される方法は、Ｄ２Ｄ通信を確立する２つのＵＥがＩＰアドレスを割り振る事例に適用可能である。この実施形態において提供される方法は、ＵＥによって実行されてよい。ＵＥは、ハードウェア形態またはソフトウェア形態で実装されてよく、かつＵＥのメモリに組み込まれてよい。例えば、ＵＥは、プロセッサによって呼び出され、かつ実行されるために、プロセッサのチップに組み込まれる。この実施形態における方法は、以下のステップを含む。
【００５０】
Ｓ１１０  第１のＵＥが、第２のＵＥに第１のメッセージを送信し、第１のメッセージは、第１のＵＥによって第２のＵＥに割り振られた第１のＩＰアドレスを含む。
【００５１】
この実施形態において、第１のＵＥは、Ｄ２Ｄ通信の開始側であり、かつＤ２Ｄ通信を開始するとき、第１のＵＥは、第２のＵＥに、Ｄ２Ｄ通信を確立するのに使用される第１のＩＰアドレスを割り振ってよい。したがって、第１のＵＥは、第１のＵＥのＩＰアドレスを知り、かつＤ２Ｄ通信におけるピアＵＥ、すなわち、第２のＵＥのＩＰアドレス、すなわち、第１のＵＥによって割り振られた第１のＩＰアドレスを知ることがある。この実施形態において提供される方法において、Ｄ２Ｄ通信の開始側として、第１のＵＥは、Ｄ２Ｄ通信におけるＩＰアドレスの割振り側である。特に、第１のＵＥによって割り振られた第１のＩＰアドレスは、第２のＵＥに送信される第１のメッセージにおいて搬送され、かつ対応するように、第２のＵＥは、Ｄ２Ｄ通信におけるＩＰアドレスの受取り側である。特定の実装形態において、事前設定されたプロトコルにおいて、第１のＵＥおよび第２のＵＥが、第１のメッセージにおいて搬送される情報要素を使用することによって、Ｄ２Ｄ通信のＩＰアドレス割振りプロセスにおけるそれぞれの責任を決定すべきことが規定されてよい。この実施形態において、第１のＵＥによって送信される第１のメッセージが、割り振られた第１のＩＰアドレスを含む場合、第１のＵＥがＩＰアドレスの割振り側であると決定されてよく、したがって、第２のＵＥは、割り振られた第１のＩＰアドレス、および知られているＬａｙｅｒ−２アドレスを使用することによって第１のＵＥの識別情報を検証して、Ｄ２Ｄ通信接続の確立を実施してよい。
【００５２】
この実施形態において第１のＵＥによって第２のＵＥに割り振られる第１のＩＰアドレスは、Ｄ２Ｄ通信を開始するための通信確立メッセージにおいて搬送されてよく、または第１のＵＥが通信確立要求メッセージを送信した後に送信されてよいことに留意されたい。例えば、第１のＩＰアドレスは、送信するためにＩＰアドレス割振りメッセージにおいて搬送される。すなわち、この実施形態における第１のメッセージは、通信確立要求メッセージまたはＩＰアドレス割振りメッセージであってよい。
【００５３】
Ｓ１２０  第１のＵＥが、第２のＵＥによって送信された第２のメッセージを受信し、第２のメッセージは、第１のＩＰアドレスの割振りが成功したか、または失敗したかを示すのに使用される。
【００５４】
この実施形態において、要求メッセージであり、かつ第１のＵＥによって送信された第１のメッセージを受信するとき、第２のＵＥは、第１のＵＥによって第２のＵＥに割り振られた第１のＩＰアドレスを獲得する。この事例において、第２のＵＥは、第１のＩＰアドレスが、第２のＵＥによってサポートされるＩＰアドレスのタイプであるかどうかを知ることがある。しかし、第１のＩＰアドレスを割り振るとき、第１のＵＥは、第２のＵＥによってサポートされるＩＰアドレスのタイプを知らず、すなわち、第１のＩＰアドレスのタイプは、第１のＵＥによって、第１のＵＥの能力によりランダムに割り振られる。したがって、第２のＵＥが第１のＩＰアドレスのタイプをサポートする場合、戻される第２のメッセージは、第１のＩＰアドレスの割振りが成功したことを示す、または第２のＵＥが第１のＩＰアドレスのタイプをサポートしない場合、戻される第２のメッセージは、第１のＩＰアドレスの割振りが失敗したことを示す。第２のＵＥが第１のＩＰアドレスのタイプをサポートしない場合、例えば、第１のＵＥによって割り振られた第１のＩＰアドレスのタイプがＩＰｖ６タイプであるが、第２のＵＥがＩＰｖ６タイプのＩＰアドレスをサポートしない場合、第２のＵＥは、第１のＩＰアドレスを使用することによって第１のＵＥに対してＤ２Ｄ通信接続を確立することができない。
【００５５】
この実施形態において、第２のＵＥが第１のＩＰアドレスをサポートしない場合、Ｄ２Ｄ通信におけるＩＰアドレスの受取り側として、第２のＵＥは、ＩＰアドレスを割り振らないが、第１のＵＥに、第１のＩＰアドレスの割振りが失敗したことを示すインディケーションメッセージを特に戻して、後続のＩＰアドレス割振り作業を実行するよう第１のＵＥに命令するようにする。さらに、この事例において、第２のメッセージは、第２のパケットデータネットワーク（Ｐａｃｋｅｔ  Ｄａｔａ  Ｎｅｔｗｏｒｋ、略して、ＰＤＮ）タイプまたは原因値のうちの少なくとも１つを含み、第２のＰＤＮタイプは、第２のＵＥによってサポートされるＩＰアドレスのタイプを示すのに使用され、かつ原因値は、第２のＵＥが第１のＩＰアドレスのタイプをサポートしないことを示すのに使用される。特に、第２のＵＥは、第２のメッセージに情報要素を追加することによって、第１のＵＥに第１のＩＰアドレスの割振り状況を示す。第２のＰＤＮタイプと原因値の両方が、第１のＩＰアドレスの割振りが失敗したことを示してよい。
【００５６】
この実施形態において提供されるＤ２Ｄ通信におけるＩＰアドレス割振り方法において、第１のＵＥおよび第２のＵＥは、Ｄ２Ｄ通信確立プロセスにおけるそれぞれの責任を決定する。一態様において、第１のＵＥは、Ｄ２Ｄ通信の開始側の役割をし、かつＩＰアドレスを割り振る動作を能動的に実行する。別の態様において、第２のＵＥが、第１のＵＥによって第２のＵＥに割り振られた第１のＩＰアドレスがサポートされないことを知る場合でさえ、第２のＵＥは、ＩＰアドレスを割り振る動作を実行しないが、第２のＰＤＮタイプまたは原因値のうちの少なくとも１つを第１のＵＥにフィードバックして、第２のＵＥによってサポートされるＩＰアドレスのタイプを第１のＵＥに示す。したがって、Ｄ２Ｄ通信を実行する２つのＵＥの両方が、ＩＰアドレスの割振り側の役割をする、またはＩＰアドレスの受取り側の役割をする事例が存在せず、その結果、ＩＰアドレスが繰り返し割り振られる、またはＩＰアドレスが割り振られない事例を回避し、かつＤ２Ｄ通信接続を確立する成功率を対応するように向上させる。
【００５７】
この実施形態において提供されるＤ２Ｄ通信におけるＩＰアドレス割振り方法によれば、第１のＵＥが、第２のＵＥに、割り振られた第１のＩＰアドレスを含む第１のメッセージを送信し、第１のメッセージは、ＩＰアドレス割振りプロセスにおける第１のＵＥおよび第２のＵＥの責任、すなわち、第１のＵＥがＩＰアドレスの割振り側であり、かつ第２のＵＥがＩＰアドレスの受取り側であることを明示的に示して、第２のＵＥが、受信された第１のＩＰアドレスにより第２のメッセージを戻すようにし、第２のメッセージは、第１のＩＰアドレスの割振りが成功したか、または失敗したかを特に示し、すなわち、第２のＵＥが、第１のＵＥによって第２のＵＥに割り振られた第１のＩＰアドレスのタイプをサポートしない場合、第２のＵＥは、ＩＰアドレスを割り振る動作を実行しない。この実施形態において提供される方法によれば、従来技術のＤ２Ｄ通信のＩＰアドレス割振りプロセスにおいて送信パーティＵＥとピアＵＥの両方がＩＰアドレスの割振り側の役割をすることがあるため、またはＩＰアドレスの受取り側の役割をすることがあるため、もたらされる、ＩＰアドレスが繰り返し割り振られる、またはＩＰアドレスが割り振られない事例が解決され、かつＤ２Ｄ通信接続を確立する成功率が対応するように向上させられる。
【００５８】
さらに、第２のメッセージが、第１のＩＰアドレスの割振りが失敗したことを示す場合、第２のメッセージは、第２のＰＤＮタイプまたは原因値のうちの少なくとも１つを特に搬送し、かつ第２のＰＤＮタイプは、第２のＵＥによってサポートされることができるＩＰアドレスのタイプを特に示す。第２のメッセージが原因値だけを含む場合、第２のＵＥによってサポートされることができるＩＰアドレスのタイプは明示的に示されないものの、第２のＵＥによってサポートされることができるＩＰアドレスのタイプは、ＩＰアドレスのタイプが、一般に、現在、ＩＰｖ４タイプおよびＩＰｖ６タイプを含むため、暗黙に示される。さらに、ＩＰアドレスの異なるタイプが第１のＵＥに適合することができるというファクタを考慮して、第２のＵＥが、割り振られた第１のＩＰアドレスのタイプをサポートしない場合でさえ、第１のＵＥは、第２のＵＥに、第２のＵＥによってサポートされることができるタイプのＩＰアドレスを割り振る能力を有することがある。例えば、第１のＵＥがＩＰｖ６アドレスタイプをサポートし、かつ第２のＵＥがＩＰｖ４アドレスタイプをサポートする場合、第１のＵＥによって割り振られる第１のＩＰアドレス、すなわち、ＩＰｖ６タイプのアドレスは、第２のＵＥによってサポートされることができない。しかし、第１のＵＥは、より高い適合性のため、ＩＰｖ４タイプのアドレスをさらに割り振ることがある。したがって、この実施形態において提供される方法において、第２のＵＥは、ＩＰアドレスの割振り側、すなわち、第１のＵＥに、第２のＵＥによってサポートされるＩＰアドレスのタイプを示すのに使用される情報要素をさらに送信して、第２のＵＥに第２のＩＰアドレス、すなわち、第２のＰＤＮタイプを再割振りするよう第１のＵＥに命令するようにしてよい。したがって、第１のＵＥは、第２のメッセージにおける情報要素により後続のＩＰアドレス割振り作業を実行してよい。
【００５９】
任意選択で、図２は、本発明の実施形態によるＤ２Ｄ通信における別のＩＰアドレス割振り方法の流れ図である。図２は、図１に示される実施形態に基づくさらなる説明である。この実施形態におけるＳ１２０における第２のメッセージが、第１のＩＰアドレスの割振りが失敗したことを特に示し、かつ第２のメッセージが第２のＰＤＮタイプを特に含む場合、この実施形態における方法は、以下をさらに含む。
【００６０】
Ｓ１３０  第１のＵＥが、第２のメッセージにより、第１のＵＥが第２のＰＤＮタイプをサポートすると決定した場合、第１のＵＥが、第２のＵＥに第２のＩＰアドレスを割り振り、かつ第２のＵＥに第２のＩＰアドレスを送信し、第２のＩＰアドレスは、第２のＵＥによって、第２のＵＥと第１のＵＥの間でＤ２Ｄ通信接続を確立するのに使用される。
【００６１】
この実施形態において、第２のＵＥは、第１のＩＰアドレスのタイプをサポートしないため、第２のＰＤＮタイプが、第２のＵＥによって第１のＵＥに送信される第２のメッセージにおいて特に搬送される。第１のＵＥは、第２のＰＤＮタイプにより、第２のＵＥによってサポートされるＩＰアドレスのタイプを知ることがあり、かつ第２のＰＤＮタイプのＩＰアドレスが第１のＵＥに適合するかどうかを知ることがある。すなわち、第２のＰＤＮタイプのＩＰアドレスが第１のＵＥに適合することができる場合、第１のＵＥは、ＩＰアドレスの割振り側の役割をし、第２のＵＥに第２のＩＰアドレスを再割振りしてよく、第２のＩＰアドレスのタイプは、第２のＰＤＮタイプによって示されるＩＰアドレスのタイプである。
【００６２】
図２に示される実施形態の別の可能な実装形態において、方法は、以下のステップをさらに含む。
【００６３】
Ｓ１４０  第１のＵＥが、第２のメッセージにより、第１のＵＥが第２のＰＤＮタイプをサポートしないと決定した場合、第１のＵＥが、第２のＵＥにフィードバックメッセージを送信し、フィードバックメッセージは、Ｄ２Ｄ通信接続の確立が失敗したことを示すのに使用される。
【００６４】
この実施形態において、第２のＵＥによって戻される第２のＰＤＮタイプを獲得するとき、第１のＵＥは、第２のＰＤＮタイプのＩＰアドレスが第１のＵＥに適合することができないと決定する、すなわち、第１のＵＥは、第１のＵＥによって割り振られた各ＩＰアドレスが第２のＵＥによってサポートされることができないことを知ることがあり、かつ第２のＵＥは、第１のＵＥによって割り振られたＩＰアドレスを使用することによってＤ２Ｄ通信接続を確立することができない。この事例において、第１のＵＥは、第２のＵＥにフィードバックメッセージを送信して、Ｄ２Ｄ通信接続の確立が失敗したことを示す。
【００６５】
前述のＳ１３０およびＳ１４０は、図２に示される実施形態における２つの任意選択の実行形態であり、いずれか１つが実行されるように選択されることに留意されたい。
【００６６】
任意選択で、図３は、本発明の実施形態によるＤ２Ｄ通信における別のＩＰアドレス割振り方法の流れ図である。図３は、図１に示される実施形態に基づくさらなる説明である。この実施形態におけるＳ１２０における第２のメッセージが、第１のＩＰアドレスの割振りが失敗したことを特に示し、かつ第２のメッセージが、原因値を特に含むが、第２のＰＤＮタイプを含まない場合、本発明の実施形態における方法は、以下のステップをさらに含む。
【００６７】
Ｓ１３０  第１のＵＥが、第１のＩＰアドレスのタイプを除いた別のタイプのＩＰアドレスをサポートする場合、第１のＵＥが、第２のＵＥに第２のＩＰアドレスを割り振り、かつ第２のＵＥに第２のＩＰアドレスを送信し、第２のＩＰアドレスは、第２のＵＥによって、第２のＵＥと第１のＵＥの間でＤ２Ｄ通信接続を確立するのに使用される。
【００６８】
この実施形態において、第２のＵＥは、第１のＩＰアドレスのタイプをサポートしないため、原因値が、第２のＵＥによって第１のＵＥに送信される第２のメッセージにおいて特に搬送される。通信接続を確立するために一般に使用されるＩＰアドレスのタイプは、ＩＰｖ４タイプおよびＩＰｖ６タイプを含むため、第１のＵＥによって割り振られた第１のＩＰアドレスのタイプがＩＰｖ６タイプであり、かつ第２のＵＥがＩＰｖ６タイプをサポートしない場合、原因値が、フィードバックのための第２のメッセージにおいて搬送されて、第２のＵＥがＩＰｖ６タイプのアドレスをサポートしないことを示す。このことは、第２のＵＥがＩＰｖ４タイプのアドレスをサポートすることを意味する。さらに、第１のＵＥがＩＰｖ４タイプのアドレスもサポートする場合、第１のＵＥは、ＩＰアドレスの割振り側の役割をし、第２のＵＥに第２のＩＰアドレスを再割振りしてよく、第２のＩＰアドレスのタイプは、ＩＰｖ４タイプである。この実施形態において、第１のＵＥは、第２のメッセージにおける原因値、および割り振られた第１のＩＰアドレスのタイプにより、第２のＵＥによってサポートされる第２のＰＤＮタイプを決定して、第２のＰＤＮタイプが第１のＵＥに適合することができる場合、第１のＵＥが、第２のＵＥに第２のＩＰアドレスを割り振るようにしてよい。
【００６９】
図３に示される実施形態の別の可能な実装形態において、方法は、以下のステップをさらに含む。
【００７０】
Ｓ１４０  第１のＵＥが、第１のＩＰアドレスのタイプを除いた別のタイプのＩＰアドレスをサポートしない場合、第１のＵＥが、第２のＵＥにフィードバックメッセージを送信し、フィードバックメッセージは、Ｄ２Ｄ通信接続の確立が失敗したことを示すのに使用される。
【００７１】
この実施形態おいて、第２のＵＥによって戻される原因値を獲得するとき、第１のＵＥは、原因値、および割り振られた第１のＩＰアドレスのタイプにより、第２のＵＥによってサポートされる第２のＰＤＮタイプを決定してよい。しかし、第２のＰＤＮタイプが第１のＵＥに適応することができない場合、すなわち、第１のＵＥが、第１のＵＥによって割り振られた各ＩＰアドレスが第２のＵＥによってサポートされることができない場合、第１のＵＥは、第２のＵＥにフィードバックメッセージを送信して、Ｄ２Ｄ通信接続の確立が失敗したことを示す。
【００７２】
前述のＳ１３０およびＳ１４０は、図３に示される実施形態における２つの任意選択の実行形態であり、いずれか１つが実行されるように選択されることに留意されたい。
【００７３】
さらに、図１に示される実施形態において第１のＵＥによって送信される第１のメッセージは、第１のＰＤＮタイプをさらに含んでよく、すなわち、第１のＵＥが、第１のメッセージを送信する場合、第１のＵＥによってサポートされるＩＰアドレスのタイプが第２のＵＥに示され、かつ第２のメッセージが、第１のＩＰアドレスの割振りが失敗したことを特に示す場合、第１のＵＥの処理形態は、図２および図３に示される前述の実施形態におけるものとは異なる。
【００７４】
任意選択で、図４は、本発明の実施形態によるＤ２Ｄ通信におけるさらに別のＩＰアドレス割振り方法の流れ図である。図４は、図１に示される実施形態に基づくさらなる説明である。この実施形態におけるＳ１１０における第１のメッセージが第１のＰＤＮタイプをさらに含む場合、Ｓ１２０における第２のメッセージは、第１のＩＰアドレスの割振りが失敗したことを特に示し、第２のメッセージは、原因値を特に含み、かつ原因値は、第２のＵＥが第１のＰＤＮタイプをサポートすることを示すのにさらに使用され、この実施形態における方法は、以下のステップをさらに含む。
【００７５】
Ｓ１３０  第１のＵＥが、第２のＵＥに第１のＰＤＮタイプの第２のＩＰアドレスを割り振り、かつ第２のＵＥに第２のＩＰアドレスを送信し、第２のＩＰアドレスは、第２のＵＥによって、第２のＵＥと第１のＵＥの間でデバイスツーデバイスＤ２Ｄ通信接続を確立するのに使用される。
【００７６】
この実施形態において、第１のＵＥによって割り振られる第１のＩＰアドレスのタイプは、第１のＰＤＮタイプでなくてよい。例えば、第１のＰＤＮタイプは、ＩＰｖ６タイプであるが、第１のＵＥによって割り振られる第１のＩＰアドレスは、ＩＰｖ４タイプである。さらに、第２のＵＥの第２のＰＤＮタイプは、ＩＰｖ６タイプであり、かつＩＰｖ４タイプは、第２のＵＥに適合しない。この事例において、戻される原因値は、第２のＵＥが第１のＩＰアドレスをサポートしないことを示す。第２のＵＥは、受信された第１のメッセージから、第１のＵＥによってサポートされる第１のＰＤＮタイプが、第２のＵＥによってサポートされる第２のＰＤＮタイプと同一であることを知ることがあるため、第２のＵＥは、第２のＵＥが第１のＰＤＮタイプをサポートすることができると決定し、かつ、次に、原因値を使用することによって前述の決定の結果を示す。したがって、原因値が、第２のＵＥが第１のＰＤＮタイプをサポートすることを示すのにさらに使用される場合、第１のＵＥは、ＩＰアドレスの割振り側の役割をし、かつ第１のＵＥは、第２のＵＥに第１のＰＤＮタイプの第２のＩＰアドレスをさらに割り振ってよい。
【００７７】
任意選択で、図５は、本発明の実施形態によるＤ２Ｄ通信におけるさらに別のＩＰアドレス割振り方法の流れ図である。図５は、図１に示される実施形態に基づくさらなる説明である。この実施形態におけるＳ１１０における第１のメッセージが、第１のＰＤＮタイプをさらに含み、Ｓ１２０における第２のメッセージが、第１のＩＰアドレスの割振りが失敗したことを特に示し、第２のメッセージが、原因値を特に含むが、第２のＰＤＮタイプを含まず、かつ原因値が、第２のＵＥが第１のＰＤＮタイプをサポートしないことを示すのにさらに使用される場合、この実施形態における方法は、以下のステップをさらに含む。
【００７８】
Ｓ１３０  第１のＵＥが、第１のＩＰアドレスのタイプおよび第１のＰＤＮタイプを除いた別のタイプのＩＰアドレスをサポートする場合、第１のＵＥが、第２のＵＥに第２のＩＰアドレスを割り振り、かつ第２のＵＥに第２のＩＰアドレスを送信し、第２のＩＰアドレスは、第２のＵＥによって、第２のＵＥと第１のＵＥの間でＤ２Ｄ通信接続を確立するのに使用される。
【００７９】
この実施形態において、例えば、第１のＵＥによってサポートされる第１のＰＤＮタイプと割り振られた第１のＩＰアドレスのタイプの両方がＩＰｖ６タイプであり、かつ第２のＵＥが、ＩＰｖ４タイプだけをサポートする場合、第２のＵＥによって送信される第２のメッセージは、第１のＩＰアドレスの割振りが失敗したことを示し、かつ第２のＵＥは、第２のＵＥが第１のＰＤＮタイプをサポートしないと直接に決定してよい。この事例において、第１のＵＥの適合性を考慮して、ＩＰｖ４タイプのＩＰアドレスが第１のＵＥに適合することができる場合、第１のＵＥは、ＩＰアドレスの割振り側の役割をし、第２のＵＥに、第１のＰＤＮタイプを除いた別のタイプのＩＰアドレスを割り振ってよく、第２のＩＰアドレスのタイプはでＩＰｖ４タイプである。
【００８０】
図５に示される実施形態の別の可能な実装形態において、方法は、以下のステップをさらに含む。
【００８１】
Ｓ１４０  第１のＵＥが、第１のＩＰアドレスのタイプおよび第１のＰＤＮタイプを除いた別のタイプのＩＰアドレスをサポートしない場合、第１のＵＥが、第２のＵＥにフィードバックメッセージを送信し、フィードバックメッセージは、Ｄ２Ｄ通信接続の確立が失敗したことを示すのに使用される。
【００８２】
この実施形態において、図５に示される実施形態におけるＳ１３０における事例が、説明のための例として使用される。第１のＵＥによってサポートされる第１のＰＤＮタイプと割り振られた第１のＩＰアドレスのタイプの両方がＩＰｖ６タイプであり、かつ第２のＵＥが、ＩＰｖ４タイプだけをサポートする場合、第２のＵＥによって送信される第２のメッセージは、第１のＩＰアドレスの割振りが失敗したことを示し、かつ第２のＵＥは、第２のＵＥが第１のＰＤＮタイプをサポートしないと直接に決定してよい。この事例において、ＩＰｖ４タイプのＩＰアドレスが第１のＵＥに適合することができない場合、すなわち、第１のＵＥが、第１のＵＥによって割り振られた各ＩＰアドレスが第２のＵＥによってサポートされることができないことを知ることがある場合、第１のＵＥは、第２のＵＥにフィードバックメッセージを送信して、Ｄ２Ｄ通信接続の確立が失敗したことを示す。
【００８３】
前述のＳ１３０およびＳ１４０は、図５に示される実施形態における２つの任意選択の実行形態であり、いずれか１つが実行されるように選択されることに留意されたい。
【００８４】
さらに、本発明において提供される前述の実施形態において、第１のＵＥによって送信される第１のメッセージは、識別情報をさらに含んでよく、かつ識別情報は、例えば、第１のメッセージにおいて搬送される情報要素ＩＰ役割（ｒｏｌｅ）であってよい。ＩＰ役割がサーバ（ｓｅｒｖｅｒ）として設定される場合、ＩＰ役割は、第１のＵＥがＩＰアドレスの割振り側であることを示す。対応するように、第１のメッセージからＩＰ役割を読み取るとき、第２のＵＥは、第１のＵＥが、Ｄ２Ｄ通信におけるＩＰアドレスの割振り側であると決定する、またはＩＰ役割により、第２のＵＥが、Ｄ２Ｄ通信におけるＩＰアドレスの受取り側であると決定する。この実施形態において、Ｄ２Ｄ通信接続を確立する２つのＵＥの、ＩＰアドレス割振りプロセスにおけるそれぞれの責任は、識別情報を追加することによって明示的に指定される。これは、ＩＰアドレス割振りの実現可能性をさらに確実にする。
【００８５】
さらに、本発明において提供される前述の実施形態において、Ｓ１１０の前に、方法は、第１のＵＥによる、第２のＵＥの第２のＰＤＮタイプを獲得することをさらに含んでよい。第２のＰＤＮタイプは、第１のＵＥと第２のＵＥの近接場発見プロセスにおいて獲得されて、第１のＵＥが、獲得された第２のＰＤＮタイプにより、第２のＵＥによってサポートされるＩＰアドレスのタイプを知り、かつ、第２のＰＤＮタイプが第１のＵＥに適合することができる場合、第２のＵＥに第１のＩＰアドレスを割り振ることができるようにしてよく、第１のＩＰアドレスのタイプは、第２のＰＤＮタイプである。
【００８６】
本発明の前述の実施形態における第１のＵＥは、Ｄ２Ｄ通信の開始側の役割をし、かつＩＰアドレスを割り振ることを担うことに留意されたい。さらに、Ｄ２Ｄ通信の開始側は、Ｄ２Ｄ通信におけるＩＰアドレスの受取り側の役割をしてもよい。例えば、特定の実装形態は、以下のとおりである。本発明の前述の実施形態において、Ｓ１１０の前に、方法は、第１のＵＥによる、第２のＵＥによって送信された第３のメッセージを受信すること、および第１のＵＥによる、第３のメッセージにより第２のＵＥに第１のＩＰアドレスを割り振ることをさらに含んでよい。この実施形態において、第２のＵＥは、特に、Ｄ２Ｄ通信の開始側であり、かつＤ２Ｄ通信の開始側は、実際には、Ｄ２Ｄ通信におけるＩＰアドレスの受取り側の役割をする。
【００８７】
実施形態２
図６は、本発明の実施形態２によるＤ２Ｄ通信におけるＩＰアドレス割振り方法の流れ図である。この実施形態において提供される方法は、Ｄ２Ｄ通信を確立する２つのＵＥがＩＰアドレスを割り振る事例に適用可能である。この実施形態において提供される方法は、ＵＥによって実行されてよい。ＵＥは、ハードウェアおよびソフトウェア形態で実装されてよく、かつＵＥのメモリに組み込まれてよい。例えば、ＵＥは、プロセッサによって呼び出され、かつ実行されるために、プロセッサのチップに組み込まれる。この実施形態における方法は、以下のステップを含む。
【００８８】
Ｓ２１０  第２のＵＥが、第１のＵＥによって送信された第１のメッセージを受信し、第１のメッセージは、第１のＵＥによって第２のＵＥに割り振られた第１のＩＰアドレスを含む。
【００８９】
図１乃至図５に示される前述の実施形態と同じく、この実施形態における第２のＵＥは、Ｄ２Ｄ通信におけるＩＰアドレスの受取り側である。第１のＵＥによって送信された第１のメッセージを受信するとき、第２のＵＥは、第１のＵＥによって第２のＵＥに割り振られた第１のＩＰアドレスを受信して、Ｄ２Ｄ通信の開始側が明示的に知られるようにする、すなわち、第１のＵＥが、特に、Ｄ２Ｄ通信におけるＩＰアドレスの割振り側である。特定の実装形態において、事前設定されたプロトコルにおいて、第１のＵＥおよび第２のＵＥが、第１のメッセージにおいて搬送される割り振られたＩＰアドレスを使用することによって、Ｄ２Ｄ通信のＩＰアドレス割振りプロセスにおけるそれぞれの責任を決定すべきことが規定されてよい。この実施形態において、第１のＵＥによって送信される第１のメッセージが、割り振られた第１のＩＰアドレスを含む場合、第１のＵＥがＩＰアドレスの割振り側であると決定されてよく、したがって、第２のＵＥは、割り振られた第１のＩＰアドレス、および知られているＬａｙｅｒ−２アドレスを使用することによって第１のＵＥの識別情報を検証して、Ｄ２Ｄ通信接続の確立を実施してよい。
【００９０】
この実施形態において第１のＵＥによって割り振られ、かつ第２のＵＥによって受信される第１のＩＰアドレスは、Ｄ２Ｄ通信を開始するための通信確立メッセージにおいて搬送されてよく、または第１のＵＥが通信確立メッセージを送信した後に送信されてよいことに留意されたい。例えば、第１のＩＰアドレスは、送信するためにＩＰアドレス割振りメッセージにおいて搬送される。すなわち、この実施形態における第１のメッセージは、通信確立メッセージまたはＩＰアドレス割振りメッセージであってよい。
【００９１】
Ｓ２２０  第２のＵＥが、第１のＵＥに第２のメッセージを送信し、第２のメッセージは、第１のＩＰアドレスの割振りが成功したか、または失敗したかを示すのに使用される。
【００９２】
この実施形態において、第２のＵＥは、第１のＵＥによって第２のＵＥに割り振られた第１のＩＰアドレスを獲得し、第２のＵＥは、第１のＩＰアドレスが、第２のＵＥによってサポートされるＩＰアドレスのタイプであるかどうかを知ることがある。しかし、第１のＩＰアドレスを割り振るとき、第１のＵＥは、第２のＵＥによってサポートされるＩＰアドレスのタイプを知らず、すなわち、第１のＩＰアドレスのタイプは、第１のＵＥによって、第１のＵＥの能力によりランダムに割り振られる。したがって、第２のＵＥが第１のＩＰアドレスのタイプをサポートする場合、戻される第２のメッセージは、第１のＩＰアドレスの割振りが成功したことを示す、または第２のＵＥが第１のＩＰアドレスのタイプをサポートしない場合、戻される第２のメッセージは、第１のＩＰアドレスの割振りが失敗したことを示す。第２のＵＥが第１のＩＰアドレスのタイプをサポートしない場合、例えば、第１のＵＥによって割り振られた第１のＩＰアドレスのタイプがＩＰｖ６タイプであるが、第２のＵＥがＩＰｖ６タイプのＩＰアドレスをサポートしない場合、第２のＵＥは、第１のＩＰアドレスを使用することによって第１のＵＥに対してＤ２Ｄ通信接続を確立することができない。
【００９３】
この実施形態において提供される方法において、第２のＵＥによって受信される第１のメッセージは、割り振られた第１のＩＰアドレスを搬送する、すなわち、Ｄ２Ｄ通信を確立する２つのＵＥは、第１のＵＥが、Ｄ２Ｄ通信におけるＩＰアドレスの割振り側であると決定する。したがって、第２のＵＥが、割り振られた第１のＩＰアドレスをサポートしない場合でさえ、第２のＵＥは、ＩＰアドレスを割り振る動作を実行しないが、第１のＵＥに、第１のＩＰアドレスの割振りが失敗したことを示すインディケーションメッセージを戻して、後続のＩＰアドレス割振り作業を実行するよう第１のＵＥに命令するようにする。さらに、この事例において、第２のメッセージは、第２のＰＤＮタイプまたは原因値のうちの少なくとも１つを含み、かつ第２のＵＥは、第２のメッセージに情報要素を追加することによって、第１のＵＥに第１のＩＰアドレスの割振り状況を示す。第２のＰＤＮタイプと原因値の両方が、第１のＩＰアドレスの割振りが失敗したことを示してよい。
【００９４】
この実施形態において、第１のＵＥおよび第２のＵＥは、Ｄ２Ｄ通信確立プロセスにおいてそれぞれの責任を決定する。一態様において、第１のＵＥは、Ｄ２Ｄ通信の開始側の役割をし、かつＩＰアドレスを割り振る動作を能動的に実行する。別の態様において、第２のＵＥが、第１のＵＥによって第２のＵＥに割り振られた第１のＩＰアドレスがサポートされないことを知る場合でさえ、第２のＵＥは、ＩＰアドレスを割り振る動作を実行しないが、第２のＰＤＮタイプを第１のＵＥにフィードバックして、第２のＵＥによってサポートされるＩＰアドレスのタイプを第１のＵＥに示す。したがって、Ｄ２Ｄ通信を実行する２つのＵＥの両方が、ＩＰアドレスの割振り側の役割をする、またはＩＰアドレスの受取り側の役割をする事例が存在せず、その結果、ＩＰアドレスが繰り返し割り振られる、またはＩＰアドレスが割り振られない事例を回避し、かつＤ２Ｄ通信接続を確立する信頼性を対応するように向上させる。
【００９５】
この実施形態において提供されるＤ２Ｄ通信におけるＩＰアドレス割振り方法によれば、第２のＵＥが、第１のＵＥによって送信され、かつ割り振られた第１のＩＰアドレスを含む第１のメッセージを受信して、ＩＰアドレス割振りプロセスにおける第１のＵＥおよび第２のＵＥの責任、すなわち、第１のＵＥがＩＰアドレスの割振り側であり、かつ第２のＵＥがＩＰアドレスの受取り側であることを明示的に知り、第２のＵＥが、受信された第１のＩＰアドレスにより第２のメッセージを戻すようにし、第２のメッセージは、第１のＩＰアドレスの割振りが成功したか、または失敗したかを示すのに使用され、すなわち、第２のＵＥが、第１のＵＥによって第２のＵＥに割り振られた第１のＩＰアドレスのタイプをサポートしない場合、第２のＵＥは、ＩＰアドレスを割り振る動作を実行しない。この実施形態において提供される方法によれば、従来技術のＤ２Ｄ通信のＩＰアドレス割振りプロセスにおいて送信パーティＵＥとピアＵＥの両方がＩＰアドレスの割振り側の役割をすることがあるため、またはＩＰアドレスの受取り側の役割をすることがあるため、もたらされる、ＩＰアドレスが繰り返し割り振られる、またはＩＰアドレスが割り振られない事例が解決され、かつＤ２Ｄ通信接続を確立する成功率が対応するように向上させられる。
【００９６】
本発明の前述の実施形態の特定の実装において、第２のＵＥは、受信された第１のＩＰアドレスのタイプ、および第１のメッセージにおいて搬送されることがある第１のＰＤＮタイプにより、戻される第２のメッセージにおける命令情報を決定する。図７は、本発明の実施形態によるＤ２Ｄ通信における別のＩＰアドレス割振り方法の流れ図を示し、かつ図７は、図６に示される実施形態に基づくさらなる説明である。任意選択で、この実施形態において提供される方法は、以下のステップをさらに含む。Ｓ２３０  第２のＵＥが、割り振られた第１のＩＰアドレスのタイプをサポートする場合、第２のＵＥが、第１のＵＥに第２のメッセージを送信し、第２のメッセージは、第１のＩＰアドレスの割振りが成功したことを示すのに使用される。
【００９７】
この実施形態の別の可能な実装形態において、方法は、以下のステップをさらに含む。Ｓ２４０  第２のＵＥが、第１のメッセージにより、第２のＵＥが第１のＩＰアドレスのタイプをサポートしないと決定した場合、第２のＵＥが、第１のＵＥに第２のメッセージを送信し、第２のメッセージは、第１のＩＰアドレスの割振りが失敗したことを示すのに使用され、第２のメッセージは、第２のＰＤＮタイプまたは原因値のうちの少なくとも１つを含み、原因値は、第２のＵＥが第１のＩＰアドレスのタイプをサポートしないことを示すのに使用され、かつ第２のＰＤＮタイプは、第２のＵＥによってサポートされるＩＰアドレスのタイプを示すのに使用される。この実施形態において、第２のＵＥは、第１のＩＰアドレスのタイプ、および第２のＵＥの能力により、第１のＩＰアドレスのタイプがサポートされるかどうかを直接に決定する。この事例において、第１のＵＥは、第１のＵＥの適合性により、第１のＵＥが、第２のＵＥに第２のＩＰアドレスを割り振ることを続けてよいかどうかを決定してよい。特に、第１のＵＥが第２のＰＤＮタイプをサポートすることができる場合、第２のＰＤＮタイプの第２のＩＰアドレスが、第２のＵＥに割り振られてよく、または第１のＵＥが第２のＰＤＮタイプをサポートすることができない場合、Ｄ２Ｄ通信接続の確立が失敗したことを示すフィードバックメッセージが送信される。
【００９８】
前述のＳ２３０およびＳ２４０は、図７に示される実施形態における２つの任意選択の実行形態であり、いずれか１つが実行されるように選択されることに留意されたい。
【００９９】
さらに、図８は、本発明の実施形態によるＤ２Ｄ通信におけるさらに別のＩＰアドレス割振り方法の流れ図であり、かつ図８は、図６に示される実施形態に基づくさらなる説明である。この実施形態において、第１のメッセージが第１のＰＤＮタイプをさらに含む場合、この実施形態において提供される方法は、以下のステップをさらに含む。Ｓ２３０  第２のＵＥが、第１のメッセージにより、第２のＵＥが第１のＩＰアドレスのタイプをサポートしないが、第２のＵＥが第１のＰＤＮタイプをサポートすると決定した場合、第２のＵＥが、第１のＵＥに第２のメッセージを送信し、第２のメッセージは、第１のＩＰアドレスの割振りが失敗したことを示すのに使用され、第２のメッセージは、第２のＰＤＮタイプまたは原因値のうちの少なくとも１つを含み、かつ原因値は、第２のＵＥが第１のＩＰアドレスのタイプをサポートしないが、第２のＵＥが第１のＰＤＮタイプをサポートすることを示すのに使用される。この実施形態において、ＩＰアドレスの異なるタイプが第１のＵＥに適合することができるというファクタを考慮して、第２のＵＥが、割り振られた第１のＩＰアドレスのタイプをサポートしない場合でさえ、第１のＵＥは、第２のＵＥに、第２のＵＥによってサポートされることができるタイプのＩＰアドレスを割り振る能力を有することがある。例えば、第１のＵＥがＩＰｖ６タイプをサポートし、かつＩＰｖ４タイプが第１のＵＥに適合することができ、かつ第２のＵＥがＩＰｖ６タイプをサポートするが、ＩＰｖ４タイプが第２のＵＥに適合することができない。第１のＵＥによって割り振られた第１のＩＰアドレスがＩＰｖ４タイプである場合、第１のＩＰアドレスは、第２のＵＥによってサポートされることができない。しかし、第２のＵＥが、第１のメッセージを使用することによって、第２のＵＥが第１のＰＤＮタイプをサポートすることができることを知った場合、送信される第２のメッセージは、タイプが第１のＰＤＮタイプと同一である第２のＩＰアドレスを割り振るよう第１のＵＥに命令するのに使用される。この実施形態において提供される方法は、以下のステップをさらに含む。Ｓ２４０  第２のＵＥが、第１のＵＥによって送信された第２のＩＰアドレスを受信し、第２のＩＰアドレスは、第２のＵＥによって、第２のＵＥと第１のＵＥの間でＤ２Ｄ通信接続を確立するのに使用される。
【０１００】
この実施形態の別の可能な実装形態において、方法は、以下のステップをさらに含む。Ｓ２５０  第２のＵＥが、第１のメッセージにより、第２のＵＥが第１のＩＰアドレスのタイプをサポートせず、かつ第２のＵＥが第１のＰＤＮタイプをサポートしないと決定した場合、第２のＵＥが、第１のＵＥに第２のメッセージを送信し、第２のメッセージは、第１のＩＰアドレスの割振りが失敗したことを示すのに使用され、第１のＰＤＮタイプは、第１のＵＥによってサポートされるＩＰアドレスのタイプを示すのに使用され、第２のメッセージは、第２のＰＤＮタイプまたは原因値のうちの少なくとも１つを含み、原因値は、第２のＵＥが第１のＩＰアドレスのタイプをサポートしないこと、および第２のＵＥが第１のＰＤＮタイプをサポートしないことを示すのに使用され、かつ第２のＰＤＮタイプは、第２のＵＥによってサポートされるＩＰアドレスのタイプを示すのに使用される。この実施形態において、同様に、第１のＵＥの適合性が考慮される。第１のＩＰアドレスのタイプがサポートされないと決定した後、第２のＵＥは、第１のＰＤＮタイプがサポートされるかどうかをさらに決定する。例えば、第１のＩＰアドレスのタイプがＩＰｖ６タイプであり、第１のＰＤＮタイプもＩＰｖ６タイプであり、かつ第２のＵＥが、ＩＰｖ４タイプのＩＰアドレスだけをサポートすることができる。したがって、第２のメッセージが送信される場合、第２のＵＥが第１のＩＰアドレスのタイプも第１のＰＤＮタイプもサポートしないことが、原因値において示されることがある。第１のＵＥは、第１のＵＥの適合性により、第１のＵＥが、第２のＵＥに第２のＩＰアドレスを割り振ることを続けてよいかどうかを決定してよい。特に、第２のＰＤＮタイプが第１のＵＥに適合することができる場合、第２のＰＤＮタイプの第２のＩＰアドレスが、第２のＵＥに割り振られてよく、または第２のＰＤＮタイプが第１のＵＥに適合することができない場合、Ｄ２Ｄ通信接続の確立が失敗したことを示すフィードバックメッセージが送信される。
【０１０１】
前述のＳ２３０乃至Ｓ２４０およびＳ２５０は、図８に示される実施形態における２つの任意選択の実行形態であり、いずれか１つが実行されるように選択されることに留意されたい。
【０１０２】
さらに、本発明において提供される前述の実施形態において、第１のＵＥによって送信される第１のメッセージは、識別情報をさらに含んでよく、かつ識別情報は、例えば、第１のメッセージにおいて搬送される情報要素ＩＰ役割であってよい。ＩＰ役割がサーバとして設定されてよい場合、この実施形態において提供される方法は、第２のＵＥによる、識別情報により、第１のＵＥが、Ｄ２Ｄ通信におけるＩＰアドレスの割振り側であると決定する、または、第２のＵＥが、Ｄ２Ｄ通信におけるＩＰアドレスの受取り側であると決定することをさらに含む。この実施形態において、Ｄ２Ｄ通信接続を確立する２つのＵＥの、ＩＰアドレス割振りプロセスにおけるそれぞれの責任は、識別情報を追加することによって明示的に指定される。これは、ＩＰアドレス割振りの実現可能性をさらに確実にする。
【０１０３】
本発明の前述の実施形態における第２のＵＥは、Ｄ２Ｄ通信におけるＩＰアドレスの受取り側の役割をし、第１のＵＥは、Ｄ２Ｄ通信の開始側の役割をし、かつＩＰアドレスを割り振ることを担うことに留意されたい。同様に、Ｄ２Ｄ通信の開始側は、Ｄ２Ｄ通信におけるＩＰアドレスの受取り側の役割をしてもよい。例えば、特定の実装形態は、以下のとおりである。本発明の前述の実施形態において、Ｓ２１０の前に、方法は、第２のＵＥによる、第１のＵＥに第３のメッセージを送信することをさらに含み、第３のメッセージは、第２のＵＥに第１のＩＰアドレスを割り振るよう第１のＵＥに要求するのに使用される。この実施形態において、第２のＵＥは、特に、Ｄ２Ｄ通信の開始側であり、かつＤ２Ｄ通信の開始側は、実際には、Ｄ２Ｄ通信におけるＩＰアドレスの受取り側の役割をする。
【０１０４】
実施形態３
図９は、本発明の実施形態３によるＤ２Ｄ通信におけるＩＰアドレス割振り方法の流れ図である。この実施形態において提供される方法は、Ｄ２Ｄ通信を確立する２つのＵＥがＩＰアドレスを獲得する事例に適用可能である。この実施形態において提供される方法は、ＵＥによって実行されてよい。ＵＥは、ハードウェアおよびソフトウェア形態で実装されてよく、かつＵＥのメモリに組み込まれてよい。例えば、ＵＥは、プロセッサによって呼び出され、かつ実行されるために、プロセッサのチップに組み込まれる。この実施形態における方法は、以下のステップを含む。
【０１０５】
Ｓ３１０  第１のＵＥが、第２のＵＥに第１のメッセージを送信し、第１のメッセージは、第１のＩＰアドレスと、命令情報とを含み、命令情報は、事前構成された第１のＩＰアドレスを使用するよう第２のＵＥに命令するのに使用され、かつ第１のメッセージは、第１のＩＰアドレスにより第１のＵＥに対してＤ２Ｄ通信接続を確立するよう第２のＵＥに要求するのに使用される。
【０１０６】
この実施形態において、第１のＩＰアドレスは、第１のＵＥにおいて事前構成され、第２のＩＰアドレスは、第２のＵＥにおいて事前構成される。例えば、第１のＵＥおよび第２のＵＥが、Ｄ２Ｄ通信の前にグループ通信を実行しており、かつ第１のＵＥおよび第２のＵＥはそれぞれ、構成されたＩＰアドレスを有する。この事例において、第１のＵＥと第２のＵＥがＤ２Ｄ通信を実行する必要がある場合、グループ通信において使用された構成されたＩＰアドレスが、ＩＰアドレスを割り振る必要なしに直接に使用されてよい。特に、第１のＵＥは、Ｄ２Ｄ通信の開始側の役割をし、かつＤ２Ｄ通信を開始するとき、第１のＵＥは、第１のメッセージに第１のＵＥの構成された第１のＩＰアドレス、および命令情報を追加する。例えば、命令情報が事前構成される（ｐｒｅ−ｃｏｎｆｉｇｕｒｅｄ）ように設定される場合、命令情報は、第１のＩＰアドレスを使用するよう第２のＵＥに命令する。第２のＵＥは、命令情報および第１のＩＰアドレスにより第２のＵＥと第１のＵＥの間でＤ２Ｄ通信接続を確立してよい。
【０１０７】
この実施形態における第１のＵＥは、第１のメッセージを使用することによって、第１のメッセージにおいて搬送される第１のＩＰアドレスを使用することによってＤ２Ｄ通信接続を確立するよう第２のＵＥに命令することに留意されたい。第１のＩＰアドレスは、Ｄ２Ｄ通信を開始するための通信確立メッセージにおいて搬送されてよく、または第１のＵＥが通信確立メッセージを送信した後に送信されてよい。例えば、第１のＩＰアドレスは、送信するためにＩＰアドレス送信メッセージにおいて搬送される。すなわち、この実施形態における第１のメッセージは、通信確立メッセージまたはＩＰアドレス送信メッセージであってよい。
【０１０８】
Ｓ３２０  第１のＵＥが、第２のＵＥによって送信された第２のメッセージを受信し、第２のメッセージは、Ｄ２Ｄ通信接続の確立が成功したことを示すのに使用される。
【０１０９】
この実施形態において、第１のＵＥによって送信された第１のメッセージを受信するとき、第２のＵＥは、第１のメッセージから第１のＩＰアドレスを獲得する。第１のＵＥおよび第２のＵＥは、グループ通信を以前に実行しているため、第２のＵＥは、第１のＩＰアドレスをサポートすることができ、かつ第１のＩＰアドレスを使用することによって第１のＵＥに対してＤ２Ｄ通信接続を確立してよい。したがって、接続の確立が成功したことを示すのに使用される第２のメッセージが、第１のＵＥに戻される。
【０１１０】
この実施形態において、第１のＵＥおよび第２のＵＥは、Ｄ２Ｄ通信確立プロセスにおけるそれぞれの責任を決定する。一態様において、第１のＵＥは、Ｄ２Ｄ通信の開始側の役割をし、かつ第１のＵＥによって送信される第１のメッセージに第１のＩＰアドレスおよび命令情報を追加して、それぞれの構成されたＩＰアドレスを使用するよう第１のＵＥおよび第２のＵＥに命令する。別の態様において、第１のＵＥによって送信される第１のメッセージが第１のＩＰアドレスを搬送することは、第２のＵＥがＤ２Ｄ通信接続の確立側であることをさらに示す。したがって、Ｄ２Ｄ通信を実行する２つのＵＥに関して、指定されたＵＥが、ピアＵＥの構成されたＩＰアドレスを獲得し、かつピアＵＥから獲得されたＩＰアドレス、および指定されたＵＥの構成されたＩＰアドレスを使用することによってＤ２Ｄ通信を確立する。明らかに、２つのＵＥの両方が、ＩＰアドレスの割振り側の役割をする、またはＩＰアドレスの受取り側の役割をする事例が存在せず、それによって、ＩＰアドレスが繰り返し割り振られる、またはＩＰアドレスが割り振られない事例を回避し、かつＤ２Ｄ通信接続を確立する成功率を対応するように向上させる。
【０１１１】
この実施形態において提供されるＤ２Ｄ通信におけるＩＰアドレス割振り方法によれば、第１のＵＥが、第２のＵＥに第１のＩＰアドレスと、命令情報とを含む第１のメッセージを送信し、命令情報は、事前構成された第１のＩＰアドレスを使用するよう第２のＵＥに命令するのに使用されて、第２のＵＥが、第１のメッセージ、および第１のメッセージにおいて搬送される第１のＩＰアドレスを使用することによって第１のＵＥに対してＤ２Ｄ通信接続を確立するようにする。この実施形態において提供される方法において、第１のメッセージは、Ｄ２Ｄ通信において第１のＵＥおよび第２のＵＥによって使用されるＩＰアドレス、およびＤ２Ｄ通信を確立するための第１のＵＥおよび第２のＵＥの責任を明示的に示して、それによって、従来技術のＤ２Ｄ通信のＩＰアドレス割振りプロセスにおいて送信パーティＵＥとピアＵＥの両方がＩＰアドレスの割振り側の役割をすることがあるため、またはＩＰアドレスの受取り側の役割をすることがあるため、もたらされる、ＩＰアドレスが繰り返し割り振られる、またはＩＰアドレスが割り振られない事例が解決され、かつＤ２Ｄ通信接続を確立する成功率が対応するように向上させられる。
【０１１２】
実施形態４
図１０は、本発明の実施形態４によるＤ２Ｄ通信におけるＩＰアドレス割振り方法の流れ図である。この実施形態において提供される方法は、Ｄ２Ｄ通信を確立する２つのＵＥがＩＰアドレスを獲得する事例に適用可能である。この実施形態において提供される方法は、ＵＥによって実行されてよい。ＵＥは、ハードウェアおよびソフトウェア形態で実装されてよく、かつＵＥのメモリに組み込まれてよい。例えば、ＵＥは、プロセッサによって呼び出され、かつ実行されるために、プロセッサのチップに組み込まれる。この実施形態における方法は、以下のステップを含む。
【０１１３】
Ｓ４１０  第１のＵＥが、第２のＵＥに第１のメッセージを送信し、第１のメッセージは、命令情報を含み、命令情報は、事前構成された第１のＩＰアドレスを使用するよう第２のＵＥに命令するのに使用され、かつ命令情報は、第１のＵＥがデバイスツーデバイスＤ２Ｄ通信接続の確立側であることを示すのにさらに使用される。
【０１１４】
図９に示される前述の実施形態と同様に、この実施形態において、第１のＩＰアドレスは、第１のＵＥにおいて事前構成され、第２のＩＰアドレスは、第２のＵＥにおいて事前構成される。例えば、第１のＵＥおよび第２のＵＥが、Ｄ２Ｄ通信の前にグループ通信を実行しており、かつ第１のＵＥおよび第２のＵＥはそれぞれ、構成されたＩＰアドレスを有する。この事例において、第１のＵＥと第２のＵＥがＤ２Ｄ通信を実行する必要がある場合、グループ通信において使用された構成されたＩＰアドレスが、ＩＰアドレスを割り振る必要なしに直接に使用されてよい。特に、第１のＵＥは、Ｄ２Ｄ通信の開始側の役割をする。例えば、第１のＵＥがＤ２Ｄ通信を開始する場合、命令情報が、第１のＩＰアドレスを使用するよう第２のＵＥに命令するように事前構成される（ｐｒｅ−ｃｏｎｆｉｇｕｒｅｄ）ように設定され、かつ命令情報は、第１のＵＥがＤ２Ｄ通信接続の確立側であることを示すのにさらに使用される。すなわち、第１のＵＥが、Ｄ２Ｄ通信においてピアＵＥのＩＰアドレスを獲得する必要がある場合、第２のＵＥは、第１のＵＥに第２のＵＥの事前構成された第２のＩＰアドレスを送信するように命令される。
【０１１５】
Ｓ４２０  第１のＵＥが、第２のＵＥによって送信された第２のメッセージを受信し、第２のメッセージは、第２のＩＰアドレスを含んで、第１のＵＥが、第２のＩＰアドレスにより第２のＵＥに対してＤ２Ｄ通信接続を確立するようにする。
【０１１６】
この実施形態において、第１のＵＥによって送信された第１のメッセージを受信するとき、第２のＵＥは、命令情報のコンテンツを使用することによって、第１のＵＥがＤ２Ｄ通信接続を確立することを知ってよい。したがって、第２のＵＥは、第２のメッセージに第２のＵＥの事前構成された第２のＩＰアドレスを追加し、かつ第１のＵＥに第２のメッセージを送信して、第１のＵＥが、第２のＩＰアドレスを獲得した後、第２のＩＰアドレス、および第１のＵＥの事前構成された第１のＩＰアドレスを使用することによって第２のＵＥに対して直接のＤ２Ｄ通信接続を確立するようにする。
【０１１７】
この実施形態における第２のＵＥは、命令情報を含む受信された第１のメッセージを使用することによって、第１のＵＥに第２のＵＥの事前構成された第２のＩＰアドレスを送信して、Ｄ２Ｄ通信接続を確立することに留意されたい。命令情報は、Ｄ２Ｄ通信を開始するための通信確立メッセージにおいて搬送されてよく、または第１のＵＥが通信確立メッセージを送信した後に送信されてよい。例えば、命令情報は、送信するためにＩＰアドレス送信メッセージにおいて搬送される。すなわち、この実施形態における第１のメッセージは、通信確立メッセージまたはＩＰアドレス送信メッセージであってよい。
【０１１８】
さらに、この実施形態において提供される方法において、第１のメッセージは、ＰＤＮタイプをさらに含んでよく、ＰＤＮタイプは、特に、第１のＵＥによってサポートされるＰＤＮタイプであり、かつＰＤＮタイプは、第２のＵＥによってサポートされるＩＰアドレスのタイプを示す。第２のメッセージにおける第２のＩＰアドレスは、第２のＵＥによって、命令情報およびＰＤＮタイプに従って追加される。この実施形態において、複数のＩＰアドレスが、第１のＵＥと第２のＵＥの両方において事前構成されてよく、かつ複数の事前構成されたＩＰアドレスは、異なるタイプのＩＰアドレスであってよい。したがって、第２のＵＥに対してＤ２Ｄ通信要求を開始するとき、第１のＵＥは、第１のメッセージに、第１のＵＥに適合することができるＰＤＮタイプを追加して、第１のＵＥに第２のメッセージを戻すとき、第１のＵＥに、ＰＤＮタイプとタイプが同一である第２のＩＰアドレスを送信するよう第２のＵＥに命令する。
【０１１９】
この実施形態において、第１のＵＥおよび第２のＵＥは、Ｄ２Ｄ通信確立プロセスにおけるそれぞれの責任を決定する。一態様において、第１のＵＥは、Ｄ２Ｄ通信の開始側の役割をし、かつ第１のＵＥによって送信される第１のメッセージに第１のＩＰアドレスおよび命令情報を追加して、それぞれの構成されたＩＰアドレスを使用するよう第１のＵＥおよび第２のＵＥに命令する。別の態様において、第１のメッセージにおける命令情報は、第１のＵＥがＤ２Ｄ通信接続の確立側であることをさらに示す。したがって、Ｄ２Ｄ通信を実行する２つのＵＥに関して、指定されたＵＥが、ピアＵＥの構成されたＩＰアドレスを獲得し、かつピアＵＥから獲得されたＩＰアドレス、および指定されたＵＥの構成されたＩＰアドレスを使用することによってＤ２Ｄ通信を確立する。明らかに、２つのＵＥの両方が、ＩＰアドレスの割振り側の役割をする、またはＩＰアドレスの受取り側の役割をする事例が存在せず、それによって、ＩＰアドレスが繰り返し割り振られる、またはＩＰアドレスが割り振られない事例を回避し、かつＤ２Ｄ通信接続を確立する成功率を対応するように向上させる。
【０１２０】
この実施形態において提供されるＤ２Ｄ通信におけるＩＰアドレス割振り方法によれば、第２のＵＥが、第１のＵＥによって送信され、かつ命令情報を含む第１のメッセージを受信し、命令情報は、事前構成された第１のＩＰアドレスを使用するよう第２のＵＥに命令し、かつ第１のＵＥがＤ２Ｄ通信接続における確立側であることを示すのに使用されて、第２のＵＥが、第１のＵＥに第２のＵＥの事前構成された第２のＩＰアドレスを送信するようにし、かつ第１のＵＥが、第２のＩＰアドレスにより第２のＵＥに対してＤ２Ｄ通信接続を確立するようにする。この実施形態において提供される方法において、第１のメッセージは、Ｄ２Ｄ通信において第１のＵＥおよび第２のＵＥによって使用されるＩＰアドレス、およびＤ２Ｄ通信を確立するための第１のＵＥおよび第２のＵＥの責任を明示的に示し、それによって、従来技術のＤ２Ｄ通信のＩＰアドレス割振りプロセスにおいて送信パーティＵＥとピアＵＥの両方がＩＰアドレスの割振り側の役割をすることがあるため、またはＩＰアドレスの受取り側の役割をすることがあるため、もたらされる、ＩＰアドレスが繰り返し割り振られる、またはＩＰアドレスが割り振られない事例が解決され、かつＤ２Ｄ通信接続を確立する成功率が対応するように向上させられる。
【０１２１】
本発明において提供される実施形態は、Ｄ２Ｄ通信を直接に実行するＵＥに適用可能であり、かつメッセージは、ネットワークデバイスを使用することによって転送される必要がないことに留意されたい。したがって、ネットワークカバレッジなしのアプリケーションシナリオにおいてさえ、例えば、地震または津波のためにインフラストラクチャが損害を受けた場合、ＩＰアドレスは、ネットワークデバイスを使用することによって、Ｄ２Ｄ通信を実行すべきＵＥに割り振られることができない。本発明の実施形態において提供される方法において、Ｄ２Ｄ通信においてＩＰアドレスが割り振られることに成功することが確実にされることができる。
【０１２２】
本発明の前述の実施形態の特定の実装において、Ｄ２Ｄ通信接続を確立する２つのＵＥ、すなわち、第１のＵＥと第２のＵＥの間の通信のためのプロトコルスタックは、制御プレーンとユーザプレーンに分割され、かつプロトコルスタックは、伝送制御プロトコル／インターネットプロトコル（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ、略して、ＴＣＰ／ＩＰ）のプロトコルスタックと同様である。制御プレーンの機能は、接続確立中に実行される、通信パラメータの要求、認証、および割振りなどのシグナリング対話であり、ユーザプレーンの機能は、実際のデータ受信およびデータ送信である。本発明の前述の実施形態における第１のメッセージ、第２のメッセージ、第３のメッセージ、およびフィードバックメッセージは、２つのＵＥの間の制御プレーンプロトコルスタックを使用することによって送信される。図１１に示されるとおり、図１１は、本発明の実施形態によるＤ２Ｄ通信におけるＵＥの間の制御プレーンプロトコルスタックの概略図である。第１のＵＥと第２のＵＥの間の制御プレーンプロトコルスタックが、無線リソース制御（無線リソース制御、略して、ＲＲＣ）層プロトコルと、無線リンク制御（Ｒａｄｉｏ  Ｌｉｎｋ  Ｃｏｎｔｒｏｌ、略して、ＲＬＣ）層プロトコルと、ＭＡＣ層プロトコルと、物理層（Ｐｈｙｓｉｃａｌ  Ｌａｙｅｒ、略して、ＰHＹ）プロトコルとを含み、ＰＣ５−Ｕ（制御プレーンの制御プレーンプロトコル）は、２つのＵＥの間の制御プレーンインターフェースを表す。ユーザプレーンデータ送信を実施するのに、Ｄ２Ｄ通信の２つのパーティは、ユーザ層接続を確立する必要があり、すなわち、接続は、ＩＰアドレスを使用することによって確立される。本発明の前述の実施形態において、ＩＰアドレスが、Ｄ２Ｄ通信においてデータ送信を実施するために獲得される。
【０１２３】
実施形態５
図１２Ａおよび図１２Ｂは、本発明の実施形態５によるＤ２Ｄ通信におけるＩＰアドレス割振り方法の流れ図である。この実施形態において提供される方法は、Ｄ２Ｄ通信接続を確立するように構成された第１のＵＥおよび第２のＵＥによって実行され、かつこの実施形態における方法は、以下のステップを含む。
【０１２４】
Ｓ５０１  第１のＵＥが、第２のＵＥに第１のメッセージを送信し、第１のメッセージは、第１のＵＥによって第２のＵＥに割り振られた第１のＩＰアドレスを含む。
【０１２５】
この実施形態において第１のＵＥによって第２のＵＥに割り振られる第１のＩＰアドレスは、Ｄ２Ｄ通信を開始するための通信確立メッセージにおいて搬送されてよく、または第１のＵＥが通信確立要求メッセージを送信した後に送信されてよいことに留意されたい。例えば、第１のＩＰアドレスは、送信するためにＩＰアドレス割振りメッセージにおいて搬送される。すなわち、この実施形態における第１のメッセージは、通信確立要求メッセージまたはＩＰアドレス割振りメッセージであってよい。
【０１２６】
Ｓ５０２  第２のＵＥが、第１のＵＥに第２のメッセージを送信し、第２のメッセージは、第１のＩＰアドレスの割振りが成功したか、または失敗したかを示すのに使用される。
【０１２７】
この実施形態において、要求メッセージであり、かつ第１のＵＥによって送信された第１のメッセージを受信するとき、第２のＵＥは、第１のＵＥによって第２のＵＥに割り振られた第１のＩＰアドレスを獲得する。この事例において、第２のＵＥは、第１のＩＰアドレスが、第２のＵＥによってサポートされるＩＰアドレスのタイプであるかどうかを知ることがある。しかし、第１のＩＰアドレスを割り振るとき、第１のＵＥは、第２のＵＥによってサポートされるＩＰアドレスのタイプを知らず、すなわち、第１のＩＰアドレスのタイプは、第１のＵＥによって、第１のＵＥの能力によりランダムに割り振られる。したがって、第２のＵＥが第１のＩＰアドレスのタイプをサポートする場合、戻される第２のメッセージは、第１のＩＰアドレスの割振りが成功したことを示す、または第２のＵＥが第１のＩＰアドレスのタイプをサポートしない場合、戻される第２のメッセージは、第１のＩＰアドレスの割振りが失敗したことを示す。第２のＵＥが第１のＩＰアドレスのタイプをサポートしない場合、例えば、第１のＵＥによって割り振られた第１のＩＰアドレスのタイプがＩＰｖ６タイプであるが、第２のＵＥがＩＰｖ６タイプのＩＰアドレスをサポートしない場合、第２のＵＥは、第１のＩＰアドレスを使用することによって第１のＵＥに対してＤ２Ｄ通信接続を確立することができない。
【０１２８】
任意選択で、この実施形態において提供される方法は、以下のステップをさらに含む。Ｓ５０３  第２のＵＥが、第１のメッセージにより、第２のＵＥが、割り振られた第１のＩＰアドレスのタイプをサポートすると決定し、Ｓ５０２において第２のＵＥによって第１のＵＥに送信される第２のメッセージは、第１のＩＰアドレスの割振りが成功したことを示すのに使用される。
【０１２９】
この実施形態の別の実装形態において、方法は、以下のステップをさらに含む。Ｓ５０４  第２のＵＥが、第１のメッセージにより、第２のＵＥが第１のＩＰアドレスのタイプをサポートしないと決定し、Ｓ５０２における第２のメッセージは、第１のＩＰアドレスの割振りが失敗したことを示すのに特に使用され、第２のメッセージは、第２のＰＤＮタイプまたは原因値のうちの少なくとも１つを含み、かつ第２のＰＤＮタイプは、第２のＵＥによってサポートされることができるＩＰアドレスのタイプを特に示す。第２のメッセージが原因値だけを含む場合、第２のＵＥによってサポートされるＩＰアドレスのタイプは明示的に示されないものの、第２のＵＥによってサポートされることができるＩＰアドレスのタイプは、ＩＰアドレスのタイプが、一般に、現在、ＩＰｖ４タイプおよびＩＰｖ６タイプを含むため、暗黙に示される。さらに、ＩＰアドレスの異なるタイプがＵＥに適合することができるというファクタを考慮して、第２のＵＥが、割り振られた第１のＩＰアドレスのタイプをサポートしない場合でさえ、第１のＵＥは、第２のＵＥに、第２のＵＥによってサポートされることができるタイプのＩＰアドレスを割り振る能力を有することがある。
【０１３０】
この実施形態の特定の実装において、第１のＵＥが、第１のＩＰアドレスの割振りが失敗したことを示す第２のメッセージを受信した後、実行形態は、以下のいくつかの事例を含むことがある。第１の事例において、第２のメッセージが第２のＰＤＮタイプを特に含む場合、この実施形態において提供される方法は、以下のステップをさらに含む。
【０１３１】
Ｓ５０５  第１のＵＥが、第２のメッセージにより、第１のＵＥが第２のＰＤＮタイプをサポートすると決定した場合、第１のＵＥが、第２のＵＥに第２のＩＰアドレスを割り振る。
【０１３２】
Ｓ５０６  第１のＵＥが、第２のＵＥに第２のＩＰアドレスを送信する。
【０１３３】
Ｓ５０７  第２のＵＥが、第２のＩＰアドレスを使用することによって第２のＵＥと第１のＵＥの間でＤ２Ｄ通信接続を確立する。
【０１３４】
任意選択で、前述の第１の事例の別の可能な実装形態において、方法は、以下のステップをさらに含む。
【０１３５】
Ｓ５０８  第１のＵＥが、第２のメッセージにより、第１のＵＥが第２のＰＤＮタイプをサポートしないと決定する。
【０１３６】
Ｓ５０９  第１のＵＥが、第２のＵＥにフィードバックメッセージを送信し、フィードバックメッセージは、Ｄ２Ｄ通信接続の確立が失敗したことを示すのに使用される。
【０１３７】
第２の事例において、第２のメッセージが、原因値を特に含むが、第２のＰＤＮタイプを含まない場合、この実施形態において提供される方法は、以下のステップをさらに含む。
【０１３８】
Ｓ５１０  第１のＵＥが、第１のＵＥが、第１のＩＰアドレスのタイプを除いた別のタイプのＩＰアドレスをサポートすると決定した場合、第１のＵＥが、第２のＵＥに第２のＩＰアドレスを割り振る。
【０１３９】
Ｓ５１１  第１のＵＥが、第２のＵＥに第２のＩＰアドレスを送信する。
【０１４０】
Ｓ５１２  第２のＵＥが、第２のＩＰアドレスを使用することによって第２のＵＥと第１のＵＥの間でＤ２Ｄ通信接続を確立する。
【０１４１】
任意選択で、前述の第２の事例の別の可能な実装形態において、方法は、以下のステップをさらに含む。
【０１４２】
Ｓ５１３  第１のＵＥが、第１のＵＥが、第１のＩＰアドレスのタイプを除いた別のタイプのＩＰアドレスをサポートしないと決定する。
【０１４３】
Ｓ５１４  第１のＵＥが、第２のＵＥにフィードバックメッセージを送信し、フィードバックメッセージは、Ｄ２Ｄ通信接続の確立が失敗したことを示すのに使用される。
【０１４４】
さらに、図１２Ａおよび図１２Ｂに示される前述の実施形態において、Ｓ５０１において送信される第１のメッセージは、第１のＰＤＮタイプをさらに含んでよく、すなわち、第１のＵＥが第１のメッセージを送信する場合、第１のＵＥによってサポートされるＩＰアドレスのタイプが第２のＵＥに示される。この事例において、第２のメッセージが、第１のＩＰアドレスの割振りが失敗したことを特に示す場合、第１のＵＥの処理形態は、第１の事例および第２の事例におけるものとは異なる。特に、この実施形態において提供される形態は、以下のいくつかの事例を含む。第３の事例において、第２のメッセージが原因値を特に含み、かつ原因値が、第２のＵＥが第１のＰＤＮタイプをサポートすることを示すのにさらに使用される場合、この実施形態において提供される方法は、以下のステップをさらに含む。
【０１４５】
Ｓ５１５  第１のＵＥが、第２のＵＥに第１のＰＤＮタイプの第２のＩＰアドレスを割り振る。
【０１４６】
Ｓ５１６  第１のＵＥが、第２のＵＥに第２のＩＰアドレスを送信する。
【０１４７】
Ｓ５１７  第２のＵＥが、第２のＩＰアドレスを使用することによって第２のＵＥと第１のＵＥの間でＤ２Ｄ通信接続を確立する。
【０１４８】
第４の事例において、第２のメッセージが原因値を特に含むが、第２のＰＤＮタイプを含まず、かつ原因値が、第２のＵＥが第１のＰＤＮタイプをサポートしないことを示すのにさらに使用される場合、この実施形態において提供される方法は、以下のステップをさらに含む。
【０１４９】
Ｓ５１８  第１のＵＥが、第１のＵＥが、第１のＩＰアドレスのタイプ、および第１のＰＤＮタイプを除いた別のタイプのＩＰアドレスをサポートすると決定した場合、第１のＵＥが、第２のＵＥに第２のＩＰアドレスを割り振る。
【０１５０】
Ｓ５１９  第１のＵＥが、第２のＵＥに第２のＩＰアドレスを送信する。
【０１５１】
Ｓ５２０  第２のＵＥが、第２のＩＰアドレスを使用することによって第２のＵＥと第１のＵＥの間でＤ２Ｄ通信接続を確立する。
【０１５２】
任意選択で、前述の第４の事例の別の可能な実装形態において、方法は、以下のステップをさらに含む。
【０１５３】
Ｓ５２１  第１のＵＥが、第１のＵＥが、第１のＩＰアドレスのタイプ、および第１のＰＤＮタイプを除いた別のタイプのＩＰアドレスをサポートしないと決定する。
【０１５４】
Ｓ５２２  第１のＵＥが、第２のＵＥにフィードバックメッセージを送信し、フィードバックメッセージは、Ｄ２Ｄ通信接続の確立が失敗したことを示すのに使用される。
【０１５５】
本発明の前述の実施形態において提供される第１の事例乃至第４の事例、および各事例の様々な可能な実装形態は、任意選択で実行され、かつ１つだけの形態が実行されるように選択されることに留意されたい。
【０１５６】
さらに、本発明において提供される前述の実施形態において、Ｓ５０１において第１のＵＥによって送信される第１のメッセージは、識別情報をさらに含んでよく、かつ識別情報は、例えば、第１のメッセージにおいて搬送される情報要素ＩＰ役割であってよい。ＩＰ役割がサーバとして設定されるとき、ＩＰ役割は、第１のＵＥがＩＰアドレスの割振り側であることを示す。対応するように、Ｓ５０２において第１のメッセージにおけるＩＰ役割を獲得するとき、第２のＵＥは、第１のＵＥが、Ｄ２Ｄ通信におけるＩＰアドレスの割振り側であると決定する、またはＩＰ役割により、第２のＵＥが、Ｄ２Ｄ通信におけるＩＰアドレスの受取り側であると決定する。
【０１５７】
さらに、本発明において提供される前述の実施形態において、Ｓ５０１の前に、方法は、以下のステップをさらに含んでよい。Ｓ５２３  第１のＵＥが、第２のＵＥの第２のＰＤＮタイプを獲得する。第２のＰＤＮタイプは、第１のＵＥと第２のＵＥの近接場発見プロセスにおいて獲得されて、第１のＵＥが、獲得された第２のＰＤＮタイプにより、第２のＵＥによってサポートされるＩＰアドレスのタイプを知り、かつ、第２のＰＤＮタイプが第１のＵＥに適合することができる場合、第２のＵＥに第１のＩＰアドレスを割り振ることができるようにしてよく、第１のＩＰアドレスのタイプは、第２のＰＤＮタイプである。
【０１５８】
本発明の前述の実施形態における第１のＵＥは、Ｄ２Ｄ通信の開始側の役割をし、かつＩＰアドレスを割り振ることを担うことに留意されたい。さらに、Ｄ２Ｄ通信の開始側は、Ｄ２Ｄ通信におけるＩＰアドレスの受取り側の役割をしてもよい。例えば、特定の実装形態は、以下のとおりである。本発明の前述の実施形態において、Ｓ５０１の前に、方法は、以下のステップをさらに含んでよい。Ｓ５２４  第２のＵＥが、第１のＵＥに第３のメッセージを送信する。Ｓ５２５  第１のＵＥが、第３のメッセージにより第２のＵＥに第１のＩＰアドレスを割り振る。この実施形態において、第２のＵＥは、特に、Ｄ２Ｄ通信の開始側であり、かつＤ２Ｄ通信の開始側は、実際には、Ｄ２Ｄ通信におけるＩＰアドレスの受取り側の役割をする。
【０１５９】
実施形態６
図１３は、本発明の実施形態６によるＤ２Ｄ通信におけるＩＰアドレス割振り方法の流れ図である。この実施形態において提供される方法は、Ｄ２Ｄ通信接続を確立する第１のＵＥおよび第２のＵＥによって実行され、かつこの実施形態における方法は、以下のステップを含む。
【０１６０】
Ｓ６０１  第１のＵＥが、第２のＵＥに第１のメッセージを送信し、第１のメッセージは、命令情報を含み、命令情報は、事前構成された第１のＩＰアドレスを使用するよう第２のＵＥに命令するのに使用される。
【０１６１】
任意選択で、この実施形態におけるＳ６０１における第１のメッセージが、第１のＩＰアドレスをさらに含む場合、この実施形態において提供される方法は、以下のステップを含む。Ｓ６０２  第２のＵＥが、第１のＩＰアドレスにより第１のＵＥに対してＤ２Ｄ通信接続を確立する。Ｓ６０３  第２のＵＥが、第１のＵＥに第２のメッセージを送信し、第２のメッセージは、Ｄ２Ｄ通信接続の確立が成功したことを示すのに使用される。この実施形態において、第２のＵＥが第１のメッセージを受信した場合、第１のメッセージは、第１のＩＰアドレスを含むため、第２のＵＥは、Ｄ２Ｄ通信の確立側の役割をし、かつ第１のＵＥに対してＤ２Ｄ通信接続を確立してよい。
【０１６２】
この実施形態の別の可能な実装形態において、この実施形態におけるＳ６０１における第１のメッセージが第１のＩＰアドレスを搬送せず、かつ命令情報が、第１のＵＥがＤ２Ｄ通信接続の確立側であることを示すのにさらに使用される場合、この実施形態において提供される方法は、以下のステップを含む。Ｓ６０４  第２のＵＥが、第１のメッセージにより第２のＵＥの事前構成された第２のＩＰアドレスを第２のメッセージに追加する。Ｓ６０５  第２のＵＥが、第１のＵＥに第２のメッセージを送信する。Ｓ６０６  第１のＵＥが、第２のＩＰアドレスにより第２のＵＥに対してＤ２Ｄ通信接続を確立する。この実施形態において、第２のＵＥが第１のメッセージを受信した場合、第１のメッセージにおける命令情報が、第１のＵＥがＤ２Ｄ通信接続の確立側であることを示すため、第２のＵＥは、第１のＵＥに第２のＵＥの事前構成された第２のＩＰアドレスを送信して、第１のＵＥが、第２のＵＥに対するＤ２Ｄ通信接続を確立するようにする。
【０１６３】
さらに、この実施形態における第１のメッセージは、ＰＤＮタイプをさらに含んでよく、ＰＤＮタイプは、特に、第１のＵＥによってサポートされるＰＤＮタイプであり、かつＰＤＮタイプは、第２のＵＥによってサポートされるＩＰアドレスのタイプを示す。第２のメッセージにおける第２のＩＰアドレスは、第２のＵＥによって、命令情報およびＰＤＮタイプに従って追加される。この実施形態において、複数のＩＰアドレスが、第１のＵＥと第２のＵＥの両方において事前構成されてよく、かつ複数の事前構成されたＩＰアドレスは、異なるタイプのＩＰアドレスであってよい。したがって、第２のＵＥに対してＤ２Ｄ通信要求を開始するとき、第１のＵＥは、第１のメッセージに、第１のＵＥに適合することができるＰＤＮタイプを追加して、第１のＵＥに第２のメッセージを戻すとき、第１のＵＥに、ＰＤＮタイプとタイプが同一である第２のＩＰアドレスを送信するよう第２のＵＥに命令する。
【０１６４】
実施形態７
図１４は、本発明の実施形態７によるＵＥの概略構造図である。この実施形態において提供されるＵＥは、Ｄ２Ｄ通信が確立される場合のピアＵＥに対するＩＰアドレスの割振りに適用可能である。ＵＥは、ハードウェアおよびソフトウェア形態で実装されてよく、かつＵＥのメモリに組み込まれてよい。例えば、ＵＥは、プロセッサによって呼び出され、かつ実行されるために、プロセッサのチップに組み込まれる。この実施形態におけるＵＥは、受信機１２と、送信機１１とを特に含む。
【０１６５】
送信機１１は、ピアＵＥに第１のメッセージを送信するように構成され、第１のメッセージは、ＵＥによってピアＵＥに割り振られた第１のＩＰアドレスを含む。
【０１６６】
この実施形態においてＵＥによってピアＵＥに割り振られる第１のＩＰアドレスは、Ｄ２Ｄ通信を開始するための通信確立メッセージにおいて搬送されてよく、またはＵＥが通信確立要求メッセージを送信した後に送信されてよいことに留意されたい。例えば、第１のＩＰアドレスは、送信するためにＩＰアドレス割振りメッセージにおいて搬送される。すなわち、この実施形態における第１のメッセージは、通信確立要求メッセージまたはＩＰアドレス割振りメッセージであってよい。
【０１６７】
受信機１２は、ピアＵＥによって送信された第２のメッセージを受信するように構成され、第２のメッセージは、第１のＩＰアドレスの割振りが成功したか、または失敗したかを示すのに使用される。
【０１６８】
この実施形態において、要求メッセージであり、ＵＥによって送信された第１のメッセージを受信するとき、ピアＵＥは、ＵＥによってピアＵＥに割り振られた第１のＩＰアドレスを獲得する。この事例において、ピアＵＥは、第１のＩＰアドレスが、ピアＵＥによってサポートされるＩＰアドレスのタイプであるかどうかを知ることがある。しかし、第１のＩＰアドレスを割り振るとき、ＵＥは、ピアＵＥによってサポートされるＩＰアドレスのタイプを知らず、すなわち、第１のＩＰアドレスのタイプは、ＵＥによって、ＵＥの能力によりランダムに割り振られる。したがって、ピアＵＥが第１のＩＰアドレスのタイプをサポートする場合、戻される第２のメッセージは、第１のＩＰアドレスの割振りが成功したことを示す、またはピアＵＥが第１のＩＰアドレスのタイプをサポートしない場合、戻される第２のメッセージは、第１のＩＰアドレスの割振りが失敗したことを示す。
【０１６９】
本発明のこの実施形態において提供されるＵＥは、本発明の図１に示される実施形態において提供されるＤ２Ｄ通信におけるＩＰアドレス割振り方法を実行するように構成され、かつ対応する機能モジュールを有する。それらの実装原理および技術的効果は、同様であり、詳細が本明細書において説明されることはない。
【０１７０】
さらに、第２のメッセージが、第１のＩＰアドレスの割振りが失敗したことを示す場合、第２のメッセージは、第２のＰＤＮタイプまたは原因値のうちの少なくとも１つを特に搬送し、かつ第２のＰＤＮタイプは、ピアＵＥによってサポートされることができるＩＰアドレスのタイプを特に示す。第２のメッセージが原因値だけを含む場合、ピアＵＥによってサポートされるＩＰアドレスのタイプは明示的に示されないものの、ピアＵＥによってサポートされることができるＩＰアドレスのタイプは、ＩＰアドレスのタイプが、一般に、現在、ＩＰｖ４タイプおよびＩＰｖ６タイプを含むため、暗黙に示される。さらに、ＩＰアドレスの異なるタイプがＵＥに適合することができるというファクタを考慮して、ピアＵＥが、割り振られた第１のＩＰアドレスのタイプをサポートしない場合でさえ、この実施形態において提供されるＵＥは、ピアＵＥに、ピアＵＥによってサポートされることができるタイプのＩＰアドレスを割り振る能力を有することがある。例えば、ＵＥがＩＰｖ６アドレスタイプをサポートし、かつピアＵＥがＩＰｖ４アドレスタイプをサポートする場合、ＵＥによって割り振られる第１のＩＰアドレス、すなわち、ＩＰｖ６タイプのアドレスは、ピアＵＥによってサポートされることができない。しかし、ＵＥは、より高い適合性のため、ＩＰｖ４タイプのアドレスをさらに割り振ることがある。したがって、この実施形態において、ピアＵＥは、ＩＰアドレスの割振り側、すなわち、ＵＥに、ピアＵＥによってサポートされるＩＰアドレスのタイプを示すのに使用される情報要素をさらに送信して、ピアＵＥに第２のＩＰアドレス、すなわち、第２のＰＤＮタイプを再割振りするようＵＥに命令するようにしてよい。したがって、ＵＥは、第２のメッセージにおける情報要素により後続のＩＰアドレス割振り作業を実行してよい。
【０１７１】
任意選択で、図１５は、本発明の実施形態による別のＵＥの概略構造図である。この実施形態において、受信機１２によって受信される第２のメッセージが、第１のＩＰアドレスの割振りが失敗したことを特に示し、かつ第２のメッセージが、第２のＰＤＮタイプを特に含む場合、図１４に示される実施形態に基づいて、この実施形態において提供されるＵＥは、第２のメッセージにより、ＵＥが第２のＰＤＮタイプをサポートすると決定した場合、ピアＵＥに第２のＩＰアドレスを割り振るように構成されたプロセッサ１３をさらに含み、かつ、対応するように、送信機１１は、ピアＵＥに、プロセッサ１３によって割り振られた第２のＩＰアドレスを送信するようにさらに構成され、第２のＩＰアドレスは、ピアＵＥによって、ピアＵＥとＵＥの間でデバイスツーデバイスＤ２Ｄ通信接続を確立するのに使用される。
【０１７２】
図１５に示される実施形態の別の可能な実装形態において、プロセッサ１３は、第２のメッセージにより、ＵＥが第２のＰＤＮタイプをサポートしないと決定するようにさらに構成され、かつ、対応するように、送信機１１は、ピアＵＥにフィードバックメッセージを送信するようにさらに構成され、フィードバックメッセージは、Ｄ２Ｄ通信接続の確立が失敗したことを示すのに使用される。
【０１７３】
任意選択で、この実施形態における受信機１２によって受信される第２のメッセージが、原因値を特に含むが、第２のＰＤＮタイプを含まない場合、図１５に示されるＵＥの特定の実行形態は、以下のとおりである。一態様において、プロセッサ１３は、ＵＥが、第１のＩＰアドレスのタイプを除いた別のタイプのＩＰアドレスをサポートする場合、ピアＵＥに第２のＩＰアドレスを割り振るように構成され、かつ、対応するように、送信機１１は、ピアＵＥに、プロセッサ１３によって割り振られた第２のＩＰアドレスを送信するようにさらに構成され、第２のＩＰアドレスは、ピアＵＥによって、ピアＵＥとＵＥの間でＤ２Ｄ通信接続を確立するのに使用される。別の態様において、プロセッサ１３は、ＵＥが、第１のＩＰアドレスのタイプを除いた別のタイプのＩＰアドレスをサポートしないと決定するように構成され、かつ、対応するように、送信機１１は、ピアＵＥにフィードバックメッセージを送信するようにさらに構成され、フィードバックメッセージは、Ｄ２Ｄ通信接続の確立が失敗したことを示すのに使用される。
【０１７４】
任意選択で、この実施形態における送信機１１によって送信される第１のメッセージが第１のＰＤＮタイプを含み、受信機１２によって受信される第２のメッセージが原因値を含み、かつ原因値が、ピアＵＥが第１のＰＤＮタイプをサポートすることを示すのにさらに使用される場合、図１５に示されるＵＥの特定の実行形態は、以下のとおりである。プロセッサ１３は、ピアＵＥに第１のＰＤＮタイプの第２のＩＰアドレスを割り振るように構成され、かつ、対応するように、送信機１１は、ピアＵＥに第２のＩＰアドレスを送信するようにさらに構成され、第２のＩＰアドレスは、ピアＵＥによって、ピアＵＥとＵＥの間でデバイスツーデバイスＤ２Ｄ通信接続を確立するのに使用される。
【０１７５】
任意選択で、この実施形態における送信機１１によって送信される第１のメッセージが第１のＰＤＮタイプを含み、受信機１２によって受信される第２のメッセージが原因値を含むが、第２のＰＤＮタイプを含まず、かつ原因値が、ピアＵＥが第１のＰＤＮタイプをサポートしないことを示すのにさらに使用される場合、図１５に示されるＵＥの特定の実行形態は、以下のとおりである。一態様において、プロセッサ１３は、ＵＥが、第１のＩＰアドレスのタイプ、および第１のＰＤＮタイプを除いた別のタイプのＩＰアドレスをサポートする場合、ピアＵＥに第２のＩＰアドレスを割り振るように構成され、かつ、対応するように、送信機１１は、ピアＵＥに第２のＩＰアドレスを送信するようにさらに構成され、第２のＩＰアドレスは、ピアＵＥによって、ピアＵＥとＵＥの間でＤ２Ｄ通信接続を確立するのに使用される。別の態様において、プロセッサ１３は、ＵＥが、第１のＩＰアドレスのタイプ、および第１のＰＤＮタイプを除いた別のタイプのＩＰアドレスをサポートしないと決定するようにさらに構成され、かつ、対応するように、送信機１１は、ピアＵＥにフィードバックメッセージを送信するようにさらに構成され、フィードバックメッセージは、Ｄ２Ｄ通信接続の確立が失敗したことを示すのに使用される。
【０１７６】
本発明のこの実施形態において提供されるＵＥは、本発明の図２乃至図５、図１２Ａ、および図１２Ｂに示される実施形態において提供されるＤ２Ｄ通信におけるＩＰアドレス割振り方法を実行するように構成され、かつ対応する機能モジュールを有する。それらの実装原理および技術的効果は、同様であり、詳細が本明細書において説明されることはない。
【０１７７】
さらに、本発明において提供される前述の実施形態において、送信機１１によって送信される第１のメッセージは、識別情報をさらに含んでよく、かつ識別情報は、例えば、第１のメッセージにおいて搬送される情報要素ＩＰ役割であってよい。ＩＰ役割がサーバとして設定される場合、ＩＰ役割は、ＵＥがＩＰアドレスの割振り側であることを示す。対応するように、第１のメッセージからＩＰ役割を読み取るとき、ピアＵＥは、ＵＥが、Ｄ２Ｄ通信におけるＩＰアドレスの割振り側であると決定する、またはＩＰ役割により、ピアＵＥが、Ｄ２Ｄ通信におけるＩＰアドレスの受取り側であると決定する。この実施形態において、Ｄ２Ｄ通信接続を確立する２つのＵＥの、ＩＰアドレス割振りプロセスにおけるそれぞれの責任は、識別情報を追加することによって明示的に指定される。これは、ＩＰアドレス割振りの実現可能性をさらに確実にする。
【０１７８】
さらに、図１５に示される前述の実施形態における受信機１２は、送信機１１がピアＵＥに第１のメッセージを送信する前に、ピアＵＥの第２のＰＤＮタイプを獲得するようにさらに構成される。プロセッサ１３は、ピアＵＥの第２のＰＤＮタイプ、および第２のＰＤＮタイプにおける第１のＩＰアドレスのタイプにより、ピアＵＥに第１のＩＰアドレスを割り振るようにさらに構成される。
【０１７９】
本発明の前述の実施形態におけるＵＥは、Ｄ２Ｄ通信の開始側の役割をし、かつＩＰアドレスを割り振ることを担うことに留意されたい。さらに、Ｄ２Ｄ通信の開始側は、Ｄ２Ｄ通信におけるＩＰアドレスの受取り側の役割をしてもよい。例えば、特定の実装形態は、以下のとおりである。図１５に示される前述の実施形態において、受信機１２は、送信機１１が、ピアＵＥに第１のメッセージを送信する前に、ピアＵＥによって送信された第３のメッセージを受信するようにさらに構成され、かつプロセッサ１３は、第３のメッセージによりピアＵＥに第１のＩＰアドレスを割り振るようにさらに構成される。この実施形態において、ＵＥは、特に、Ｄ２Ｄ通信の開始側であり、かつＤ２Ｄ通信の開始側は、実際には、Ｄ２Ｄ通信におけるＩＰアドレスの受取り側の役割をする。
【０１８０】
図１４および図１５に示される実施形態におけるＵＥは、図１乃至図８、図１２Ａ、および図１２Ｂに示される前述の実施形態における第１のＵＥであり、かつ図１４および図１５に示される実施形態におけるピアＵＥは、図１乃至図８に示される前述の実施形態における第２のＵＥであることにさらに留意されたい。
【０１８１】
実施形態８
図１６は、本発明の実施形態８によるＵＥの概略構造図である。この実施形態において提供されるＵＥは、Ｄ２Ｄ通信が確立される場合にＩＰアドレスの受取り側の役割をする。ＵＥは、ハードウェアおよびソフトウェア形態で実装されてよく、かつＵＥのメモリに組み込まれてよい。例えば、ＵＥは、プロセッサによって呼び出され、かつ実行されるために、プロセッサのチップに組み込まれる。この実施形態におけるＵＥは、受信機２１と、送信機２２とを特に含む。
【０１８２】
受信機２１は、ピアＵＥによって送信された第１のメッセージを受信するように構成され、第１のメッセージは、ピアＵＥによってＵＥに割り振られた第１のＩＰアドレスを含む。
【０１８３】
この実施形態においてピアＵＥによって割り振られ、かつＵＥによって受信される第１のＩＰアドレスは、Ｄ２Ｄ通信を開始するための通信確立メッセージにおいて搬送されてよく、またはピアＵＥが通信確立メッセージを送信した後に送信されてよいことに留意されたい。例えば、第１のＩＰアドレスは、送信するためにＩＰアドレス割振りメッセージにおいて搬送される。すなわち、この実施形態における第１のメッセージは、通信確立要求メッセージまたはＩＰアドレス割振りメッセージであってよい。
【０１８４】
送信機２２は、ピアＵＥに第２のメッセージを送信するように構成され、第２のメッセージは、第１のＩＰアドレスの割振りが成功したか、または失敗したかを示すのに使用される。
【０１８５】
この実施形態において、ＵＥは、ピアＵＥによってＵＥに割り振られた第１のＩＰアドレスを獲得し、ＵＥは、第１のＩＰアドレスが、ＵＥによってサポートされるＩＰアドレスのタイプであるかどうかを知ることがある。しかし、第１のＩＰアドレスを割り振るとき、ピアＵＥは、ＵＥによってサポートされるＩＰアドレスのタイプを知らず、すなわち、第１のＩＰアドレスのタイプは、ピアＵＥによって、ピアＵＥの能力によりランダムに割り振られる。したがって、この実施形態において提供されるＵＥが第１のＩＰアドレスのタイプをサポートする場合、戻される第２のメッセージは、第１のＩＰアドレスの割振りが成功したことを示す、またはＵＥが第１のＩＰアドレスのタイプをサポートしない場合、戻される第２のメッセージは、第１のＩＰアドレスの割振りが失敗したことを示す。
【０１８６】
本発明のこの実施形態において提供されるＵＥは、本発明の図６に示される実施形態において提供されるＤ２Ｄ通信におけるＩＰアドレス割振り方法を実行するように構成され、かつ対応する機能モジュールを有する。それらの実装原理および技術的効果は、同様であり、詳細が本明細書において説明されることはない。
【０１８７】
本発明の前述の実施形態の特定の実装において、ＵＥは、受信された第１のＩＰアドレスのタイプ、および第１のメッセージにおいて搬送されることがある第１のＰＤＮタイプにより、戻される第２のメッセージにおける命令情報を決定する。図１７は、本発明の実施形態による別のＵＥの概略構造図であり、かつ図１７は、図１６に示される実施形態に基づくさらなる説明である。任意選択で、この実施形態において提供されるＵＥは、プロセッサ２３をさらに含み、送信機２２が、ピアＵＥに第２のメッセージを送信するように構成されることは、以下の事例を特に含む。一態様において、第１のＩＰアドレスの割振りが成功した場合、送信機２２は、プロセッサ２３が、ＵＥが第１のＩＰアドレスのタイプをサポートすると決定した場合、ピアＵＥに第２のメッセージを送信するように特に構成され、第２のメッセージは、第１のＩＰアドレスの割振りが成功したことを示すのに使用される。別の態様において、第１のＩＰアドレスの割振りが失敗する事例は、以下の事例を含む。第１の事例において、送信機２２は、プロセッサ２３が、第１のメッセージにより、ＵＥが第１のＩＰアドレスのタイプをサポートしないと決定した場合、ピアＵＥに第２のメッセージを送信するように特に構成され、第２のメッセージは、第１のＩＰアドレスの割振りが失敗したことを示すのに使用され、第２のメッセージは、第２のパケットデータネットワークＰＤＮタイプまたは原因値のうちの少なくとも１つを含み、原因値は、ＵＥが第１のＩＰアドレスのタイプをサポートしないことを示すのに使用され、かつ第２のＰＤＮタイプは、ＵＥによってサポートされるＩＰアドレスのタイプを示すのに使用される。第２の事例において、送信機２２は、第１のメッセージが第１のＰＤＮタイプをさらに含む場合、ピアＵＥに第２のメッセージを送信するように特に構成され、かつプロセッサ２３は、第１のメッセージにより、ＵＥが第１のＩＰアドレスのタイプをサポートしないが、ＵＥが第１のＰＤＮタイプをサポートすると決定し、第２のメッセージは、第１のＩＰアドレスの割振りが失敗したことを示すのに使用され、第２のメッセージは、第２のＰＤＮタイプまたは原因値のうちの少なくとも１つを含み、かつ原因値は、ＵＥが第１のＩＰアドレスのタイプをサポートしないが、ＵＥが第１のＰＤＮタイプをサポートすることを示すのに使用される。第３の事例において、送信機２２は、第１のメッセージが第１のＰＤＮタイプをさらに含む場合、ピアＵＥに第２のメッセージを送信するように特に構成され、かつプロセッサ２３は、第１のメッセージにより、ＵＥが、第１のＩＰアドレスのタイプも第１のＰＤＮタイプもサポートしないことを決定し、第２のメッセージは、第１のＩＰアドレスの割振りが失敗したことを示すのに使用され、第１のＰＤＮタイプは、ピアＵＥによってサポートされるＩＰアドレスのタイプを示すのに使用され、第２のメッセージは、第２のＰＤＮタイプまたは原因値のうちの少なくとも１つを含み、原因値は、ＵＥが第１のＩＰアドレスのタイプも第１のＰＤＮタイプもサポートしないことを示すのに使用され、かつ第２のＰＤＮタイプは、ＵＥによってサポートされるＩＰアドレスのタイプを示すのに使用される。
【０１８８】
第１のＩＰアドレスの割振りが失敗する前述の３つの事例において、ピアＵＥは、ピアＵＥの適合性により、ピアＵＥが、この実施形態において提供されるＵＥに第２のＩＰアドレスを割り振ることを続けてよいかどうかを特に決定する。決定する特定の形態が、前述の実施形態において詳細に説明され、詳細が本明細書において説明されることはない。この実施形態における受信機２１は、ピアＵＥによって送信された第２のＩＰアドレスを受信するようにさらに構成され、第２のＩＰアドレスは、ＵＥによって、ＵＥとピアＵＥの間でデバイスツーデバイスＤ２Ｄ通信接続を確立するのに使用される。代替として、受信機２１は、ピアＵＥによって送信されたフィードバックメッセージを受信するようにさらに構成され、フィードバックメッセージは、Ｄ２Ｄ通信接続の確立が失敗したことを示すのに使用される。
【０１８９】
本発明のこの実施形態において提供されるＵＥは、本発明の図７および図８に示される実施形態において提供されるＤ２Ｄ通信におけるＩＰアドレス割振り方法を実行するように構成され、かつ対応する機能モジュールを有する。それらの実装原理および技術的効果は、同様であり、詳細が本明細書において説明されることはない。
【０１９０】
さらに、本発明において提供される前述の実施形態において、受信機２１によって受信される第１のメッセージは、識別情報をさらに含み、かつプロセッサ２３は、識別情報により、ピアＵＥがＤ２Ｄ通信におけるＩＰアドレスの割振り側である、またはＵＥがＤ２Ｄ通信におけるＩＰアドレスの受取り側であると決定するようにさらに構成される。この実施形態において、Ｄ２Ｄ通信接続を確立する２つのＵＥの、ＩＰアドレス割振りプロセスにおけるそれぞれの責任は、識別情報を追加することによって明示的に指定される。これは、ＩＰアドレス割振りの実現可能性をさらに確実にする。
【０１９１】
本発明の前述の実施形態におけるＵＥは、Ｄ２Ｄ通信におけるＩＰアドレスの受取り側の役割をし、ピアＵＥは、Ｄ２Ｄ通信の開始側の役割をし、かつＩＰアドレスを割り振ることを担うことに留意されたい。前述の実施形態と同様に、Ｄ２Ｄ通信の開始側は、Ｄ２Ｄ通信におけるＩＰアドレスの受取り側の役割をしてもよい。例えば、特定の実装形態は、以下のとおりである。本発明の前述の実施形態において、送信機２２は、受信機２１がピアＵＥによって送信された第１のメッセージを受信する前に、ピアＵＥに第３のメッセージを送信するようにさらに構成され、第３のメッセージは、ＵＥに第１のＩＰアドレスを割り振るようピアＵＥに要求するのに使用される。この実施形態において提供されるＵＥは、特に、Ｄ２Ｄ通信の開始側であり、かつＤ２Ｄ通信の開始側は、実際には、Ｄ２Ｄ通信におけるＩＰアドレスの受取り側の役割をする。
【０１９２】
図１６および図１７に示される実施形態におけるＵＥは、図１乃至図８、図１２Ａ、および図１２Ｂに示される前述の実施形態における第２のＵＥであり、かつ図１６および図１７に示される実施形態におけるピアＵＥは、図１乃至図８に示される前述の実施形態における第１のＵＥであることにさらに留意されたい。
【０１９３】
実施形態９
図１８は、本発明の実施形態９によるＵＥの概略構造図である。この実施形態において提供されるＵＥは、Ｄ２Ｄ通信に適用可能である。ＵＥは、ハードウェアおよびソフトウェア形態で実装されてよく、かつＵＥのメモリに組み込まれてよい。例えば、ＵＥは、プロセッサによって呼び出され、かつ実行されるために、プロセッサのチップに組み込まれる。この実施形態におけるＵＥは、受信機３１と、送信機３２とを特に含む。
【０１９４】
送信機３１は、ピアＵＥに第１のメッセージを送信するように構成され、第１のメッセージは、第１のＩＰアドレスと、命令情報とを含み、命令情報は、第１のＩＰアドレスを使用するようピアＵＥに命令するのに使用され、かつ第１のメッセージは、第１のＩＰアドレスによりＵＥに対してデバイスツーデバイスＤ２Ｄ通信接続を確立するようピアＵＥに要求するのに使用される。
【０１９５】
この実施形態において、第１のＩＰアドレスは、ＵＥにおいて事前構成され、第２のＩＰアドレスは、ピアＵＥにおいて事前構成される。例えば、ＵＥおよびピアＵＥが、Ｄ２Ｄ通信の前にグループ通信を実行しており、かつＵＥおよびピアＵＥはそれぞれ、構成されたＩＰアドレスを有する。この事例において、ＵＥとピアＵＥがＤ２Ｄ通信を実行する必要がある場合、グループ通信において使用された構成されたＩＰアドレスが、ＩＰアドレスを割り振る必要なしに直接に使用されてよい。特に、ＵＥは、Ｄ２Ｄ通信の開始側の役割をし、かつＤ２Ｄ通信を開始するとき、ＵＥは、第１のメッセージにＵＥの構成された第１のＩＰアドレス、および命令情報を追加する。例えば、命令情報が事前構成されるように設定される場合、命令情報は、第１のＩＰアドレスを使用するようピアＵＥに命令する。ピアＵＥは、命令情報および第１のＩＰアドレスによりピアＵＥとＵＥの間でＤ２Ｄ通信接続を確立してよい。
【０１９６】
この実施形態におけるＵＥは、第１のメッセージを使用することによって、第１のメッセージにおいて搬送される第１のＩＰアドレスを使用することによってＤ２Ｄ通信接続を確立するようピアＵＥに命令することに留意されたい。第１のＩＰアドレスは、Ｄ２Ｄ通信を開始するための通信確立メッセージにおいて搬送されてよく、またはＵＥが通信確立メッセージを送信した後に送信されてよい。例えば、第１のＩＰアドレスは、送信するためにＩＰアドレス送信メッセージにおいて搬送される。すなわち、この実施形態における第１のメッセージは、通信確立メッセージまたはＩＰアドレス送信メッセージであってよい。
【０１９７】
受信機３２は、ピアＵＥによって送信された第２のメッセージを受信するように構成され、第２のメッセージは、Ｄ２Ｄ通信接続の確立が成功したことを示すのに使用される。
【０１９８】
本発明のこの実施形態において提供されるＵＥは、本発明の図９に示される実施形態において提供されるＤ２Ｄ通信におけるＩＰアドレス割振り方法を実行するように構成され、かつ対応する機能モジュールを有する。それらの実装原理および技術的効果は、同様であり、詳細が本明細書において説明されることはない。
【０１９９】
図１８に示される前述の実施形態の別の可能な実装形態において、送信機３１によって送信される第１のメッセージは、命令情報だけを含み、命令情報は、第１のＩＰアドレスを使用するようピアＵＥに命令するのに使用され、かつ命令情報は、ＵＥがデバイスツーデバイスＤ２Ｄ通信接続の確立側であることを示すのにさらに使用される。すなわち、この実施形態におけるＵＥは、Ｄ２Ｄ通信におけるピアＵＥのＩＰアドレスを獲得する必要があり、すなわち、ピアＵＥは、ＵＥにピアＵＥの事前構成された第２のＩＰアドレスを送信するように命令される。
【０２００】
対応するように、受信機３２は、ピアＵＥによって送信された第２のメッセージを受信するように構成され、第２のメッセージは、第２のＩＰアドレスを特に含み、ＵＥが、第２のＩＰアドレスによりピアＵＥに対してデバイスツーデバイスＤ２Ｄ通信接続を確立するようにする。
【０２０１】
この実施形態におけるピアＵＥは、命令情報を含む受信された第１のメッセージを使用することによってＵＥにピアＵＥの事前構成された第２のＩＰアドレスを送信して、Ｄ２Ｄ通信接続を確立するようにすることに留意されたい。命令情報は、Ｄ２Ｄ通信を開始するための通信確立メッセージにおいて搬送されてよく、またはＵＥが通信確立メッセージを送信した後に送信されてよい。例えば、命令情報は、送信するためにＩＰアドレス送信メッセージにおいて搬送される。すなわち、この実施形態における第１のメッセージは、通信確立メッセージまたはＩＰアドレス送信メッセージであってよい。
【０２０２】
さらに、この実施形態において、送信機３１によって送信された第１のメッセージは、ＰＤＮタイプをさらに含み、ＰＤＮタイプは、特に、ＵＥによってサポートされるＰＤＮタイプであり、かつＰＤＮタイプは、ピアＵＥによってサポートされるＩＰアドレスのタイプを示す。第２のメッセージにおける第２のＩＰアドレスは、ピアＵＥによって、命令情報およびＰＤＮタイプに従って追加される。この実施形態において、複数のＩＰアドレスが、ＵＥとピアＵＥの両方において事前構成されてよく、かつ複数の事前構成されたＩＰアドレスは、異なるタイプのＩＰアドレスであってよい。したがって、ピアＵＥに対してＤ２Ｄ通信要求を開始するとき、ＵＥは、第１のメッセージに、ＵＥに適合することができるＰＤＮタイプを追加して、ＵＥに第２のメッセージを戻すとき、ＵＥに、ＰＤＮタイプとタイプが同一である第２のＩＰアドレスを送信するようピアＵＥに命令する。
【０２０３】
本発明のこの実施形態において提供されるＵＥは、本発明の図１０に示される実施形態において提供されるＤ２Ｄ通信におけるＩＰアドレス割振り方法を実行するように構成され、かつ対応する機能モジュールを有する。それらの実装原理および技術的効果は、同様であり、詳細が本明細書において説明されることはない。
【０２０４】
図１８に示される実施形態におけるＵＥは、図９、図１０、および図１３に示される前述の実施形態における第１のＵＥであり、かつ図１８に示される実施形態におけるピアＵＥは、図９、図１０、および図１３に示される前述の実施形態における第２のＵＥであることに留意されたい。
【０２０５】
当業者は、前述の方法実施形態のステップのすべてまたはいくつかは、関係のあるハードウェアに命令するプログラムによって実装されることがあるものと理解してよい。前述のプログラムは、コンピュータ可読記憶媒体に記憶されてよい。プログラムが走るとき、前述の方法実施形態のステップが実行される。前述の記憶媒体は、ＲＯＭ、ＲＡＭ、磁気ディスク、または光ディスクなどのプログラムコードを記憶することができる任意の媒体を含む。
【０２０６】
最後に、前述の実施形態は、本発明の技術的ソリューションを説明するように意図されるに過ぎず、本発明を限定するようには意図されていないことに留意されたい。本発明は、前述の実施形態を参照して詳細に説明されるものの、当業者は、本発明の実施形態の技術的ソリューションの範囲を逸脱することなく、当業者が、前述の実施形態において説明される技術的ソリューションにそれでも変形を行ってよいこと、またはそれらのいくつかの、もしくはすべての技術的特徴に均等の置換を行ってよいことを理解するはずである。
【図１】
0006606193.tif 000002
【図２】
0006606193.tif 000003
【図３】
0006606193.tif 000004
【図４】
0006606193.tif 000005
【図５】
0006606193.tif 000006
【図６】
0006606193.tif 000007
【図７】
0006606193.tif 000008
【図８】
0006606193.tif 000009
【図９】
0006606193.tif 000010
【図１０】
0006606193.tif 000011
【図１１】
0006606193.tif 000012
【図１２Ａ】
0006606193.tif 000013
【図１２Ｂ】
0006606193.tif 000014
【図１３】
0006606193.tif 000015
【図１４】
0006606193.tif 000016
【図１５】
0006606193.tif 000017
【図１６】
0006606193.tif 000018
【図１７】
0006606193.tif 000019
【図１８】
0006606193.tif 000020